(57)【要約】  機器監視装置（２）は、機器の消費電力パターンを収集する電力情報収集部（２１）と、機器の登録を行う際に機器に対して行う登録操作の内容と、登録操作によって生じる機器の消費電力パターンとを対応付けて保持する登録操作情報保持部（２２）と、登録操作情報保持部が保持する登録操作の内容のうちの、対象機器に対して行う登録操作の内容と、当該登録操作の実行時期とを指示する登録操作案内を生成して通知する登録操作案内生成部（２３）と、登録操作案内が示す実行時期に基づいて定められる所定の期間に電力情報収集部が収集した機器の消費電力パターンと、登録操作案内が示す登録操作の内容に対応付けられた消費電力パターンとを照合して、対象機器が接続された電力配線を特定する消費電力パターン照合部（２４）と、消費電力パターン照合部が特定した電力配線と、対象機器とを対応付けて登録する機器情報登録部（２５）とを備える。
2013179671.tif 000002
【特許請求の範囲】
【請求項１】
電力配線に接続された機器の消費電力を監視する機器監視装置であって、
前記電力配線に接続された機器の消費電力パターンを収集する電力情報収集部と、
前記機器監視装置の監視対象として機器の登録を行う際に当該機器に対して行う登録操作の内容と、当該登録操作によって生じる当該機器の消費電力パターンとを対応付けて保持する登録操作情報保持部と、
前記登録操作情報保持部が保持する登録操作の内容のうちの、監視対象として登録が行なわれる機器である対象機器に対して行う登録操作の内容と、当該登録操作の実行時期とを指示する登録操作案内を生成して通知する登録操作案内生成部と、
前記登録操作案内が示す実行時期に基づいて定められる所定の期間に前記電力情報収集部が収集した前記対象機器の消費電力パターンと、前記登録操作案内が示す登録操作の内容に対応付けられた消費電力パターンとを照合して、前記対象機器が接続された電力配線を特定する消費電力パターン照合部と、
前記消費電力パターン照合部が特定した電力配線と、前記対象機器とを対応付けて登録する機器情報登録部とを備える
機器監視装置。
【請求項２】
前記対象機器は、接続された機器の消費電力を検出可能なソケットを介して前記電力配線に接続され、
前記電力情報収集部は、前記ソケットから前記対象機器の前記消費電力パターンを収集し、
前記機器情報登録部は、前記対象機器と前記ソケットとを対応付けて登録する
請求項１に記載の機器監視装置。
【請求項３】
前記登録操作情報保持部は、さらに、前記登録操作の内容と、前記登録操作によって前記対象機器と前記機器監視装置とが接続する通信ネットワーク上で前記登録操作によって生じる通信パターンとを対応付けて保持し、
前記機器監視装置は、さらに、
前記通信ネットワーク上での前記通信パターンを収集するネットワーク情報収集部と、
前記登録操作案内生成部で生成された登録操作案内が示す実行時期と、前記登録操作案内生成部で生成された登録操作案内が示す前記登録操作によって前記対象機器と接続する通信ネットワーク上で生じる通信パターンの時間長とに基づく所定の期間に前記ネットワーク情報収集部が収集する通信パターンと、前記登録操作案内生成部で生成された登録操作案内が示す登録操作の内容と対応付けられた通信パターンとを照合して、前記対象機器の通信ネットワーク上のアドレスを特定する通信パターン照合部とを備え、
前記機器情報登録部は、前記通信パターン照合部が特定した通信ネットワーク上のアドレスと、前記対象機器とを対応付けて登録する
請求項１又は２に記載の機器監視装置。
【請求項４】
前記登録操作情報保持部は、さらに、前記登録操作によって生じる前記対象機器の動作と、前記登録操作によって生じる前記対象機器の通信パターンと、前記登録操作によって生じる前記対象機器の消費電力パターンとを対応付けて保持し、
前記通信パターン照合部は、前記ネットワーク情報収集部が収集した通信パターンに基づいて前記対象機器の動作を特定し、
前記消費電力パターン照合部は、特定した前記対象機器の前記動作に対応する前記電力情報収集部が収集した消費電力パターンと、前記登録操作情報保持部が保持する前記通信パターン照合部が特定した前記対象機器の動作に対応する消費電力パターンとを照合することで、電力配線に接続された前記対象機器を特定する
請求項３に記載の機器監視装置。
【請求項５】
前記登録操作案内生成部は、同じ種類の複数の前記対象機器の登録要求を受けた場合、前記複数の対象機器に対応して生成される複数の前記登録操作案内のそれぞれが異なる前記実行時期を含むように前記複数の登録操作案内を生成する
請求項１〜４のいずれか１項に記載の機器監視装置。
【請求項６】
前記登録操作情報保持部は、複数の異なる登録操作の内容を保持し、
前記登録操作案内生成部は、同じ種類の複数の前記対象機器の登録要求を受けた場合、前記複数の対象機器に対応して生成される複数の前記登録操作案内のそれぞれが異なる前記登録操作の内容を含むように前記複数の登録操作案内を生成する
請求項１〜４のいずれか１項に記載の機器監視装置。
【請求項７】
前記電力情報収集部は、前記機器情報登録部においていずれの機器とも対応付けられていない電力配線から消費電力パターンを収集した場合、当該電力配線に接続された機器の登録を促すメッセージを出力する
請求項２〜６のいずれか１項に記載の機器監視装置。
【請求項８】
前記電力情報収集部は、前記機器情報登録部において機器が対応付けられた電力配線から収集した消費電力パターンが、当該電力配線に対応付けて登録された機器とは異なる機器の消費電力パターンである場合、当該電力配線に接続された機器の登録を促すメッセージを出力する
請求項２〜７のいずれか１項に記載の機器監視装置。
【請求項９】
前記登録操作情報保持部は、複数の異なる前記登録操作の内容を保持し、
前記登録操作案内生成部は、前記消費電力パターン照合部が電力配線の特定に失敗した場合、電力配線の特定に失敗した照合に用いられた消費電力パターンと対応付けられた登録操作の内容とは異なる登録操作の内容を含む新たな登録操作案内を生成し、
前記消費電力パターン照合部は、前記登録操作案内生成部で生成された新たな登録操作案内が示す実行時期と前記登録操作案内生成部で生成された新たな登録操作案内が示す登録操作によって生じる前記対象機器の消費電力パターンの時間長とに基づく所定の期間に計測された消費電力パターンと、前記新たな登録操作案内が示す登録操作の内容と対応付けられた消費電力パターンとを照合して、前記対象機器が接続された電力配線を特定する
請求項２〜８のいずれか１項に記載の機器監視装置。
【請求項１０】
前記消費電力パターン照合部は、電力配線の特定に失敗した場合、失敗した照合において絞り込まれた電力配線から収集された消費電力パターンと、前記登録操作案内生成部で生成された登録操作案内が示す登録操作の内容と対応付けられた消費電力パターンとの照合を再度実行して、前記対象機器が接続された電力配線を特定する
請求項２〜９のいずれか１項に記載の機器監視装置。
【請求項１１】
前記機器監視装置は、さらに、
前記登録操作情報保持部が保持する消費電力パターンを補正する消費電力パターン補正部を備え、
前記消費電力パターン照合部は、前記消費電力パターンの照合において、前記消費電力パターン補正部により補正された消費電力パターンと、前記電力情報収集部が収集する消費電力パターンとを照合する
請求項１〜１０のいずれか１項に記載の機器監視装置。
【請求項１２】
前記機器監視装置は、さらに、
前記電力情報収集部が収集した消費電力パターンを補正する消費電力パターン補正部を備え、
前記消費電力パターン照合部は、前記消費電力パターンの照合において、前記消費電力パターン補正部により補正された消費電力パターンと、前記登録操作案内生成部で生成された登録操作案内が示す登録操作の内容と対応付けられた消費電力パターンとを照合する
請求項１〜１０のいずれか１項に記載の機器監視装置。
【請求項１３】
前記登録操作情報保持部は、保持する前記消費電力パターンを前記電力配線の機種に対応付け、
前記消費電力パターン照合部は、前記消費電力パターンの照合において、前記電力情報収集部が収集する消費電力パターンと、当該電力情報収集部が収集した消費電力パターンが得られた電力配線の機種に対応付けられ、かつ、前記登録操作案内生成部で生成された登録操作案内が示す登録操作の内容と対応付けられた前記消費電力パターンとを照合する
請求項１〜１０のいずれか１項に記載の機器監視装置。
【請求項１４】
請求項１〜１３のいずれか１項に記載の機器監視装置と、
接続された機器の消費電力を検出可能なコンセントとを備え、
前記機器監視装置の前記電力情報収集部は、監視対象として前記登録が行なわれる機器である対称機器の前記消費電力パターンを前記コンセントから収集し、
前記機器監視装置の前記機器情報登録部は、前記対象機器と前記コンセントとを対応付けて登録する
機器監視システム。
【請求項１５】
請求項１〜１３のいずれか１項に記載の機器監視装置が生成する前記登録操作案内を表示する登録端末。
【請求項１６】
電力配線に接続された機器の消費電力を監視する機器監視装置における機器監視方法であって、
前記電力配線に接続された機器の消費電力パターンを収集する電力情報収集ステップと、
前記機器監視装置の監視対象として前記機器の登録を行う際に前記機器に対して行う登録操作の内容と、前記登録操作によって生じる前記機器の消費電力パターンとを対応付けて保持する登録操作情報保持ステップと、
前記登録操作情報保持ステップで保持した登録操作の内容のうちの、監視対象として前記登録が行なわれる前記機器である対象機器に対して行う登録操作の内容と、当該登録操作の実行時期とを指示する登録操作案内を生成して通知する登録操作案内生成ステップと、
前記登録操作案内が示す実行時期に基づいて定められる所定の期間に前記電力情報収集部が収集した前記対象機器の消費電力パターンと、前記登録操作案内が示す登録操作の内容に対応付けられた消費電力パターンとを照合して、前記対象機器が接続された電力配線を特定する消費電力パターン照合ステップと、
前記消費電力パターン照合ステップで特定した電力配線と、前記対象機器とを対応付けて登録する機器情報登録ステップとを含む
機器監視方法。
【発明の詳細な説明】
【技術分野】
【０００１】
本発明は、電力配線に接続された機器の消費電力を監視する機器監視装置、機器監視システム、登録端末、及び機器監視方法に関する。
【背景技術】
【０００２】
環境に対する関心の向上から、エネルギーを効率良く使うエネルギーマネジメントシステム（以下、ＥＭＳという）が注目されている（例えば、特許文献１又は２参照）。このＥＭＳは、機器（負荷機器）の消費電力の見える化、機器の消費電力の制御、又は利用者（ユーザ）への機器の消費電力を減らすアドバイス等の諸動作を行うことにより消費電力を削減させる。従って、ＥＭＳは、これらの動作を適切に行うために、各機器による消費電力の計測を行う構成を持つ必要がある。機器の消費電力を計測する方法としては、近年、スマートソケット（以下、単にソケットともいう）を利用する方法が提案されている。スマートソケットに機器の電源コネクタを差し込むと、スマートソケットは機器に対して電力を供給すると共に、接続された機器の消費電力を計測して、無線通信等を用いてＥＭＳのコントローラへ送信する。この方法によれば、機器自体に消費電力を計測する機能やＥＭＳのコントローラと通信する機能を備える必要がなく、現在普及している一般的な機器でも、スマートソケットを接続するだけで消費電力を計測することができる。
【先行技術文献】
【特許文献】
【０００３】
【特許文献１】特開２０１１−１５５３２２号公報
【特許文献２】特開２０１２−００４６８５号公報
【発明の概要】
【発明が解決しようとする課題】
【０００４】
しかしながら、従来のＥＭＳにおいては、機器とスマートソケットとの対応付けが正しく行われないが為に、機器の消費電力を正確に監視することができない場合がある。【０００５】
そこで、本発明は、機器の消費電力を正確に監視することが可能なＥＭＳの機器監視装置を提供する。
【課題を解決するための手段】
【０００６】
本発明の一態様に係る機器監視装置は、電力配線に接続された機器の消費電力を監視する機器監視装置であって、前記電力配線に接続された機器の消費電力パターンを収集する電力情報収集部と、前記機器監視装置の監視対象として機器の登録を行う際に当該機器に対して行う登録操作の内容と、当該登録操作によって生じる当該機器の消費電力パターンとを対応付けて保持する登録操作情報保持部と、前記登録操作情報保持部が保持する登録操作の内容のうちの、監視対象として登録が行なわれる機器である対象機器に対して行う登録操作の内容と、当該登録操作の実行時期とを指示する登録操作案内を生成して通知する登録操作案内生成部と、前記登録操作案内が示す実行時期に基づいて定められる所定の期間に前記電力情報収集部が収集した前記対象機器の消費電力パターンと、前記登録操作案内が示す登録操作の内容に対応付けられた消費電力パターンとを照合して、前記対象機器が接続された電力配線を特定する消費電力パターン照合部と、前記消費電力パターン照合部が特定した電力配線と、前記対象機器とを対応付けて登録する機器情報登録部とを備える。【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。【０００８】
さらに、本発明の一態様は、このような機器監視装置の機能の一部又は全てを実現する半導体集積回路（ＬＳＩ）、又は、このような機器監視装置を含むシステムとして実現することもできる。
【発明の効果】
【０００９】
本発明によれば、機器の消費電力を正確に監視することが可能なＥＭＳの機器監視装置を実現できる。
【図面の簡単な説明】
【００１０】
【図１Ａ】図１Ａは、実施の形態１に係るＥＭＳの概略構成を示す第一のブロック図である。
【図１Ｂ】図１Ｂは、実施の形態１に係るＥＭＳの概略構成を示す第二のブロック図である。
【図２Ａ】図２Ａは、実施の形態１に係るＥＭＳの登録操作情報保持部が保持する操作対応テーブルを示す図である。
【図２Ｂ】図２Ｂは、実施の形態１に係るＥＭＳの機器情報登録部が保持する機器対応テーブルを示す図である。
【図３】図３は、実施の形態１に係るＥＭＳにおける機器の登録処理の流れを示すシーケンス図である。
【図４】図４は、実施の形態１に係るＥＭＳにおける消費電力パターン照合部のパターンマッチングを具体的に説明するための図である。
【図５】図５は、実施の形態１の変形例１に係るＥＭＳの概略構成を示すブロック図である。
【図６】図６は、実施の形態１の変形例２に係るＥＭＳの概略構成を示すブロック図である。
【図７】図７は、実施の形態１の変形例３に係るＥＭＳにおける機器の登録操作案内の生成処理の流れを示すフローチャートである。
【図８】図８は、実施の形態１の変形例４に係るＥＭＳにおける機器の登録操作の内容の送信処理の流れを示すフローチャートである。
【図９】図９は、実施の形態２に係るＥＭＳの概略構成を示すブロック図である。
【図１０Ａ】図１０Ａは、実施の形態２に係るＥＭＳの登録操作情報保持部が保持する操作対応テーブルを示す図である。
【図１０Ｂ】図１０Ｂは、実施の形態２に係るＥＭＳの機器情報登録部が保持する機器対応テーブルを示す図である。
【図１１】図１１は、実施の形態２に係るＥＭＳにおける機器の登録処理の流れを示すシーケンス図である。
【図１２】図１２は、実施の形態２の変形例１に係るＥＭＳにおける機器の登録処理の流れを示すシーケンス図である。
【図１３】図１３は、実施の形態２の変形例２に係るＥＭＳにおける機器の登録処理の流れを示すシーケンス図である。
【図１４】図１４は、実施の形態２の変形例３に係るＥＭＳの概略構成を示すブロック図である。
【図１５】図１５は、実施の形態２の変形例３に係るＥＭＳにおける機器の登録処理の流れを示すシーケンス図である。
【発明を実施するための形態】
【００１１】
（本発明の基礎となった知見）
消費電力の計測にスマートソケットを利用したＥＭＳにおいて、例えば各機器に対して個別にスマートソケットを設け、機器監視装置がスマートソケットから消費電力の計測結果を受けて機器の消費電力を監視する構成が考えられる。この構成の場合、各機器の消費電力を個別に監視することができるが、どのスマートソケットがどの機器に接続されているのかを機器監視装置に認識させる必要がある。従って、ＥＭＳに機器を登録する際に、利用者は、機器とスマートソケットとを対応付けて機器監視装置に登録する必要がある。
【００１２】
しかしながら、機器とスマートソケットとを対応付けて登録する操作は煩雑であり、機器の機種の入力等の煩雑な操作が利用者に要求されるため、機器監視装置に機器とスマートソケットが正しく登録されないことも多くなる。この場合、機器監視装置により機器の消費電力を正確に監視することができなくなるため、ＥＭＳにおいて各機器の消費電力を削減することが困難になる。
【００１３】
そこで、本発明の一態様に係る機器監視装置は、電力配線に接続された機器の消費電力を監視する機器監視装置であって、前記電力配線に接続された機器の消費電力パターンを収集する電力情報収集部と、前記機器監視装置の監視対象として機器の登録を行う際に当該機器に対して行う登録操作の内容と、当該登録操作によって生じる当該機器の消費電力パターンとを対応付けて保持する登録操作情報保持部と、前記登録操作情報保持部が保持する登録操作の内容のうちの、監視対象として登録が行なわれる機器である対象機器に対して行う登録操作の内容と、当該登録操作の実行時期とを指示する登録操作案内を生成して通知する登録操作案内生成部と、前記登録操作案内が示す実行時期に基づいて定められる所定の期間に前記電力情報収集部が収集した前記対象機器の消費電力パターンと、前記登録操作案内が示す登録操作の内容に対応付けられた消費電力パターンとを照合して、前記対象機器が接続された電力配線を特定する消費電力パターン照合部と、前記消費電力パターン照合部が特定した電力配線と、前記対象機器とを対応付けて登録する機器情報登録部とを備える。
【００１４】
本態様によれば、利用者は複雑な登録操作を行う必要がなく、機器監視装置は、登録要求のあった機器と接続された電力配線を自動的に特定し、登録要求のあった機器と対応付けて登録する。これにより、機器監視装置は、機器と電力配線とを正確に対応付けて登録することができるので、機器の消費電力を正確に監視することができる。
【００１５】
例えば、前記対象機器は、接続された機器の消費電力を検出可能なソケットを介して前記電力配線に接続され、前記電力情報収集部は、前記ソケットから前記対象機器の前記消費電力パターンを収集し、前記機器情報登録部は、前記対象機器と前記ソケットとを対応付けて登録する。
【００１６】
本態様によれば、機器監視装置は、登録要求のあった機器と接続された電力配線として、ソケットを特定し、登録要求のあった機器と対応付けて登録する。これにより、機器監視装置は、機器とソケットとを正確に対応付けて登録することができるので、機器の消費電力を正確に監視することができる。
【００１７】
例えば、前記登録操作情報保持部は、さらに、前記登録操作の内容と、前記登録操作によって前記対象機器と前記機器監視装置とが接続する通信ネットワーク上で前記登録操作によって生じる通信パターンとを対応付けて保持し、前記機器監視装置は、さらに、前記通信ネットワーク上での前記通信パターンを収集するネットワーク情報収集部と、前記登録操作案内生成部で生成された登録操作案内が示す実行時期と、前記登録操作案内生成部で生成された登録操作案内が示す前記登録操作によって前記対象機器と接続する通信ネットワーク上で生じる通信パターンの時間長とに基づく所定の期間に前記ネットワーク情報収集部が収集する通信パターンと、前記登録操作案内生成部で生成された登録操作案内が示す登録操作の内容と対応付けられた通信パターンとを照合して、前記対象機器の通信ネットワーク上のアドレスを特定する通信パターン照合部とを備え、前記機器情報登録部は、前記通信パターン照合部が特定した通信ネットワーク上のアドレスと、前記対象機器とを対応付けて登録する。
【００１８】
本態様によれば、さらに、機器監視装置は、登録要求のあった機器の通信ネットワーク上のアドレスを自動的に特定し、登録要求のあった機器と対応付けて登録する。これにより、機器監視装置は、機器の通信ネットワーク上のアドレスを正確で容易に登録でき、ＥＭＳにおいて機器と機器監視装置との通信を正確に行うことができる。
【００１９】
例えば、前記登録操作情報保持部は、さらに、前記登録操作によって生じる前記対象機器の動作と、前記登録操作によって生じる前記対象機器の通信パターンと、前記登録操作によって生じる前記対象機器の消費電力パターンとを対応付けて保持し、前記通信パターン照合部は、前記ネットワーク情報収集部が収集した通信パターンに基づいて前記対象機器の動作を特定し、前記消費電力パターン照合部は、特定した前記対象機器の前記動作に対応する前記電力情報収集部が収集した消費電力パターンと、前記登録操作情報保持部が保持する前記通信パターン照合部が特定した前記対象機器の動作に対応する消費電力パターンとを照合することで、電力配線に接続された前記対象機器を特定する。
【００２０】
本態様によれば、機器監視装置は、登録要求のあった機器の通信ネットワーク上の通信パターンも考慮して、機器と電力配線とを対応付けて登録することができる。
【００２１】
例えば、前記登録操作案内生成部は、同じ種類の複数の前記対象機器の登録要求を受けた場合、前記複数の対象機器に対応して生成される複数の前記登録操作案内のそれぞれが異なる前記実行時期を含むように前記複数の登録操作案内を生成する。
【００２２】
本態様によれば、機器監視装置は、同時に同じ種類（機種）の複数の機器の登録を行う場合でも、登録操作の内容は異なる時期に実行されるので、複数の機器を区別して登録することができる。
【００２３】
例えば、前記登録操作情報保持部は、複数の異なる登録操作の内容を保持し、前記登録操作案内生成部は、同じ種類の複数の前記対象機器の登録要求を受けた場合、前記複数の対象機器に対応して生成される複数の前記登録操作案内のそれぞれが異なる前記登録操作の内容を含むように前記複数の登録操作案内を生成する。
【００２４】
本態様によれば、機器監視装置は、同時に同じ種類の複数の機器の登録を行う場合でも、登録操作の内容は異なるので、複数の機器を区別して登録することができる。
【００２５】
例えば、前記電力情報収集部は、前記機器情報登録部においていずれの機器とも対応付けられていない電力配線から消費電力パターンを収集した場合、当該電力配線に接続された機器の登録を促すメッセージを出力する。
【００２６】
本態様によれば、未登録のソケットがある場合に、機器監視装置は、利用者に登録操作を促すことができる。
【００２７】
例えば、前記電力情報収集部は、前記機器情報登録部において機器が対応付けられた電力配線から収集した消費電力パターンが、当該電力配線に対応付けて登録された機器とは異なる機器の消費電力パターンである場合、当該電力配線に接続された機器の登録を促すメッセージを出力する。
【００２８】
機器監視装置がソケットを正しく登録したとしても、その後に機器とソケットとの対応関係等が変化して、対応関係の更新がなされないと、機器監視装置により機器の消費電力を正確に監視することができなくなる。例えば、異なる２つのソケットに接続された機器が入れ替えられたり、登録されているソケットに別の新たな機器が接続されたりすると、機器の消費電力を正確に監視することができない。しかしながら、本態様によれば、機器とソケットとの対応関係が変化した場合、利用者に対応関係が変化した機器の登録操作を求めることができるので、この場合でも機器の消費電力を正確に監視することができる。
【００２９】
例えば、前記登録操作情報保持部は、複数の異なる前記登録操作の内容を保持し、前記登録操作案内生成部は、前記消費電力パターン照合部が電力配線の特定に失敗した場合、電力配線の特定に失敗した照合に用いられた消費電力パターンと対応付けられた登録操作の内容とは異なる登録操作の内容を含む新たな登録操作案内を生成し、前記消費電力パターン照合部は、前記登録操作案内生成部で生成された新たな登録操作案内が示す実行時期と前記登録操作案内生成部で生成された新たな登録操作案内が示す登録操作によって生じる前記対象機器の消費電力パターンの時間長とに基づく所定の期間に計測された消費電力パターンと、前記新たな登録操作案内が示す登録操作の内容と対応付けられた消費電力パターンとを照合して、前記対象機器が接続された電力配線を特定する。
【００３０】
本態様によれば、機器監視装置は、機器の登録に失敗した場合、失敗した登録操作案内とは異なる登録操作案内で再度の登録操作を行わせることができる。
【００３１】
例えば、前記消費電力パターン照合部は、電力配線の特定に失敗した場合、失敗した照合において絞り込まれた電力配線から収集された消費電力パターンと、前記登録操作案内生成部で生成された登録操作案内が示す登録操作の内容と対応付けられた消費電力パターンとの照合を再度実行して、前記対象機器が接続された電力配線を特定する。
【００３２】
本態様によれば、機器監視装置は、特定するソケットの範囲を狭くして、精度良くソケットの特定を行うことができる。
【００３３】
例えば、前記機器監視装置は、さらに、前記登録操作情報保持部が保持する消費電力パターンを補正する消費電力パターン補正部を備え、前記消費電力パターン照合部は、前記消費電力パターンの照合において、前記消費電力パターン補正部により補正された消費電力パターンと、前記電力情報収集部が収集する消費電力パターンとを照合する。
【００３４】
本態様によれば、機器監視装置は、例えばソケットの機種によるばらつきを考慮した消費電力パターンの補正を行うことができるので、パターンマッチングにおいて登録要求のあった機器と接続されたソケットを正確に特定することができる。
【００３５】
例えば、前記機器監視装置は、さらに、前記電力情報収集部が収集した消費電力パターンを補正する消費電力パターン補正部を備え、前記消費電力パターン照合部は、前記消費電力パターンの照合において、前記消費電力パターン補正部により補正された消費電力パターンと、前記登録操作案内生成部で生成された登録操作案内が示す登録操作の内容と対応付けられた消費電力パターンとを照合する。
【００３６】
本態様によれば、機器監視装置は、例えばソケットの機種によるばらつきを考慮した消費電力パターンの補正を行うことができるので、パターンマッチングにおいて登録要求のあった機器と接続されたソケットを正確に特定することができる。
【００３７】
例えば、前記登録操作情報保持部は、保持する前記消費電力パターンを前記電力配線の機種に対応付け、前記消費電力パターン照合部は、前記消費電力パターンの照合において、前記電力情報収集部が収集する消費電力パターンと、当該電力情報収集部が収集した消費電力パターンが得られた電力配線の機種に対応付けられ、かつ、前記登録操作案内生成部で生成された登録操作案内が示す登録操作の内容と対応付けられた前記消費電力パターンとを照合する。
【００３８】
本態様によれば、機器監視装置は、例えばソケットの機種によるばらつきを考慮した消費電力パターンでパターンマッチングを行うことができるので、パターンマッチングにおいて登録要求のあった機器と接続されたソケットを正確に特定することができる。
【００３９】
また、本発明の一態様に係る機器監視システムは、上記に記載の機器監視装置と、接続された機器の消費電力を検出可能なコンセントとを備え、前記機器監視装置の前記電力情報収集部は、監視対象として前記登録が行なわれる機器である対称機器の前記消費電力パターンを前記コンセントから収集し、前記機器監視装置の前記機器情報登録部は、前記対象機器と前記コンセントとを対応付けて登録する。
【００４０】
これにより、上記の機器監視装置と同様の効果を奏する。
【００４１】
また、本発明の一態様に係る登録端末は、上記に記載の機器監視装置が生成する前記登録操作案内を表示する登録端末である。
【００４２】
これにより、登録端末が上記の機器監視装置への利用者からの操作を受付けることで、機器監視装置は、機器と電力配線とを正確に対応付けて登録することができるので、機器の消費電力を正確に監視することができる。
【００４３】
また、本発明の一態様に係る機器監視方法は、電力配線に接続された機器の消費電力を監視する機器監視装置における機器監視方法であって、前記電力配線に接続された機器の消費電力パターンを収集する電力情報収集ステップと、前記機器監視装置の監視対象として前記機器の登録を行う際に前記機器に対して行う登録操作の内容と、前記登録操作によって生じる前記機器の消費電力パターンとを対応付けて保持する登録操作情報保持ステップと、前記登録操作情報保持ステップで保持した登録操作の内容のうちの、監視対象として前記登録が行なわれる前記機器である対象機器に対して行う登録操作の内容と、当該登録操作の実行時期とを指示する登録操作案内を生成して通知する登録操作案内生成ステップと、前記登録操作案内が示す実行時期に基づいて定められる所定の期間に前記電力情報収集部が収集した前記対象機器の消費電力パターンと、前記登録操作案内が示す登録操作の内容に対応付けられた消費電力パターンとを照合して、前記対象機器が接続された電力配線を特定する消費電力パターン照合ステップと、前記消費電力パターン照合ステップで特定した電力配線と、前記対象機器とを対応付けて登録する機器情報登録ステップとを含む。
【００４４】
これにより、上記の機器監視装置と同様の効果を奏する。
【００４５】
以下、本発明の実施の形態について、図面を用いて詳細に説明する。
【００４６】
なお、以下で説明する実施の形態は、いずれも本発明の好ましい一具体例を示すものである。以下の実施の形態で示される数値、形状、材料、構成要素、構成要素の配置位置又は接続形態、ステップ、ステップの順序等は、一例であり、本発明を限定する主旨ではない。本発明は、請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。また、図面において、実質的に同一の構成、動作及び効果を表す要素については、同一の符号を付す。
【００４７】
（実施の形態１）
まず、実施の形態１に係るＥＭＳの構成について説明する。図１Ａは、本実施の形態に係るＥＭＳの概略構成を示す第一のブロック図である。図２Ａは、本実施の形態に係るＥＭＳの登録操作情報保持部が保持する操作対応テーブルを示す図である。図２Ｂは、本実施の形態に係るＥＭＳの機器情報登録部が保持する機器対応テーブルを示す図である。
【００４８】
図１Ａに示されるように、ＥＭＳ１は、登録端末１０と、複数のスマートソケットＳＳ１〜ＳＳ４と、機器監視装置２とから構成され、機種Ａの機器Ａ、機種Ｂの機器Ｂ、機種Ｃの機器Ｃ及び機種Ｄの機器Ｄの異なる機種の複数の機器Ａ〜Ｄの消費電力を監視している。なお、機器の機種とは、例えば冷蔵庫、テレビ、エアコン、パソコン等の機器名、機器のメーカ名、機器の型番等を含む機器の種類を識別する情報である。
【００４９】
ＥＭＳ１は、例えば家電機器としての機器Ａ〜Ｄを管理するＨＥＭＳ（Ｈｏｍｅ  Ｅｎｅｒｇｙ  Ｍａｎａｇｅｍｅｎｔ  Ｓｙｓｔｅｍ）等である。ＥＭＳ１は、機器Ａ〜Ｄの消費電力の監視結果を基に、機器Ａ〜Ｄの消費電力の見える化、消費電力の制御、又は利用者へのアドバイス及びメッセージの提示等の機器Ａ〜Ｄの消費電力を削減するための諸動作を行う。
【００５０】
スマートソケットＳＳ１〜ＳＳ４は、電力供給と消費電力計測の機能を備えたソケット（コンセント、タップ又はアウトレットとも称する）であり、それぞれ機器Ａ〜Ｄのいずれかに対応して設けられ、対応する機器に電力を供給すると共に対応する機器の消費電力を計測可能な状態で対応する機器と接続されている。具体的に、スマートソケットＳＳ１は機器Ａの消費電力を計測可能な状態で機器Ａと接続されている。同様に、スマートソケットＳＳ２は機器Ｂの消費電力を計測可能な状態で機器Ｂと接続されている。また、スマートソケットＳＳ３は機器Ｃの消費電力を計測可能な状態で機器Ｃと接続されている。また、スマートソケットＳＳ４は機器Ｄの消費電力を計測可能な状態で機器Ｄと接続されている。このとき、スマートソケットと機器との接続は、例えば機器の電源コネクタをスマートソケットに差し込んだり、機器と電源系統とを接続するテーブルタップ又はコンセント等にスマートソケットの機能を内蔵させたりすることにより実現される。
【００５１】
スマートソケットＳＳ１〜ＳＳ４は、それぞれ消費電力の計測結果（消費電力値）を特定小電力無線やＺｉｇＢｅｅ（登録商標）方式等の無線通信又は有線通信で機器監視装置２に送信する。このスマートソケットＳＳ１〜ＳＳ４から機器監視装置２への消費電力の計測結果の送信は、例えば機器監視装置２による指示により又は自発的な動作により所定の一定期間毎又は所定の時期に行われる。
【００５２】
登録端末１０は、利用者とＥＭＳ１との対話等のために用いられる端末であり、入出力部及び表示部等を備える。登録端末１０は、機器をＥＭＳ１に登録する際に、利用者からの機器情報の入力を受けて機器監視装置２に対し機器の登録要求を送信すると共に、機器の登録操作の内容及び機器の登録結果を機器監視装置２から受信する。なお、機器情報とは、少なくとも機器の機種を含む情報であり、機器情報には、機器の製造番号や機器ＩＤが含まれていても良い。
【００５３】
機器監視装置２は、機器Ａ〜Ｄの消費電力を監視し、監視結果に基づいて機器Ａ〜Ｄの消費電力を削減するための諸動作を行うコントローラである。機器監視装置２は、電力情報収集部２１と、登録操作情報保持部２２と、登録操作案内生成部２３と、消費電力パターン照合部２４と、機器情報登録部２５とを備える。
【００５４】
電力情報収集部２１は、スマートソケットＳＳ１〜ＳＳ４から送信された消費電力の計測結果を受信する受信部であり、例えばスマートソケットＳＳ１〜ＳＳ４による消費電力の計測結果を一括して収集している。機器監視装置２は、電力情報収集部２１により収集された消費電力の計測結果を基に機器Ａ〜Ｄの消費電力を監視している。
【００５５】
電力情報収集部２１は、機器をＥＭＳ１に登録する際に、登録操作案内生成部２３より受信した電力パターン指定タイミングに基づく期間の間にスマートソケットＳＳ１〜ＳＳ４が計測した消費電力の計測結果を消費電力パターン照合部２４へ送信する。具体的には、電力情報収集部２１は、電力パターン指定タイミングに基づく期間の間にスマートソケットＳＳ１〜ＳＳ４が計測した消費電力の計測結果を基に、スマートソケットＳＳ１〜ＳＳ４のそれぞれについて、消費電力の時間変動のパターン（実測消費電力パターン）を導出し、消費電力パターン照合部２４に送信する。この送信では、実測消費電力パターンのそれぞれがいずれのスマートソケットＳＳ１〜ＳＳ４からのものであるかを消費電力パターン照合部２４が識別することができるように、実測消費電力パターンとそれを送信したスマートソケットの識別情報とが対応付けて送信される。なお、スマートソケットＳＳ１〜ＳＳ４は、消費電力パターン照合部２４での機器の消費電力の時間変動パターンの照合が可能な精度で機器の消費電力を計測するものとする。
【００５６】
登録操作情報保持部２２は、機器をＥＭＳ１に登録する際に、登録要求のあった機器の機器情報を登録端末１０から受信し、受信した機器情報を機器情報登録部２５に送信する。
【００５７】
登録操作情報保持部２２は、機種Ａ〜Ｄのそれぞれについて設けられた操作対応テーブルを保持し、機器をＥＭＳ１に登録する際に、登録端末１０から機器の登録要求を受けると、登録要求のあった機器の機種の操作対応テーブルを抽出する。操作対応テーブルでは、図２Ａに示されるように、機器への登録操作の内容が複数登録されており、登録された各登録操作の内容にはその登録操作による機器の消費電力の時間変動のパターン（想定消費電力パターン）が対応付けられている。例えば、機種Ａについて設けられた操作対応テーブルでは、機種Ａの機器の登録操作の内容として「電源立ち上げ」が、機種Ａの機器の所定の想定消費電力パターンと対応付けて登録されている。なお、操作対応テーブルの登録操作の内容としては、登録操作が行われた機器で生じる消費電力の時間変動が、それ以外の他の機器の消費電力の時間変動と区別可能なものとなる登録操作の内容が登録されることが好ましい。
【００５８】
登録操作情報保持部２２は、機器をＥＭＳ１に登録する際に、抽出した操作対応テーブルから任意の登録操作の内容を選択する。そして、登録操作情報保持部２２は、選択した登録操作の内容と選択した登録操作の内容に対応付けられた想定消費電力パターンとを登録操作案内生成部２３に送信すると共に、操作対応テーブルにおいて選択した登録操作の内容に対応付けられた想定消費電力パターンを消費電力パターン照合部２４に送信する。
【００５９】
登録操作案内生成部２３は、機器をＥＭＳ１に登録する際に、登録操作情報保持部２２から送信された登録操作の内容から登録操作案内を生成し、登録端末１０に送信する。この登録操作案内は、機器を登録するために、利用者に対して要求する機器の登録操作の内容及びその登録操作を行う実行時期（実行タイミング）を示す案内である。登録操作案内に含まれる実行タイミングは、登録操作案内生成部２３により設定され、機器の登録要求を受けた以降の利用者が実行可能な任意の時期に設定される。そして、登録操作案内に含まれる登録操作の内容は、登録操作情報保持部２２から送信された登録操作の内容とされる。
【００６０】
また、登録操作案内生成部２３は、実行タイミングが示す時期（時刻）から想定消費電力パターンの時間長に相当する期間までを示す電力パターン指定タイミングを電力情報収集部２１に送信する。
【００６１】
消費電力パターン照合部２４は、機器をＥＭＳ１に登録する際に、電力情報収集部２１から送信された実測消費電力パターンと、登録操作情報保持部２２から送信された想定消費電力パターンとのマッチング（照合）を行う。そして、消費電力パターン照合部２４は、パターンマッチングの結果、想定消費電力パターンとマッチする実測消費電力パターンを送信したスマートソケットを、登録要求のあった機器と接続されたスマートソケットであると特定する。そして、消費電力パターン照合部２４は、特定したスマートソケットの識別情報を機器情報登録部２５に送信する。
【００６２】
機器情報登録部２５は、機器情報とスマートソケットの識別情報との対応関係が複数登録された機器対応テーブルを保持する。機器情報登録部２５は、機器をＥＭＳ１に登録する際に、この保持する機器対応テーブルに、消費電力パターン照合部２４から送信されたスマートソケットの識別情報と、登録操作情報保持部２２から送信された機器情報とを対応付けて登録する。
【００６３】
機器情報登録部２５は、機器監視装置２に対する機器の登録要求に応えて機器が機器監視装置２に登録された場合、その機器の登録結果を機器登録結果として登録端末１０に送信する。例えば、機器対応テーブルでは、図２Ｂに示されるように、機器Ａの機器情報にスマートソケットＳＳ１の識別情報が対応付けて登録されている。
【００６４】
なお、登録操作案内に含まれる実行タイミングに対して、実際の利用者の登録操作の実行が数秒ずれる場合を考慮して、電力情報収集部２１は、登録操作案内生成部２３より受信した電力パターン指定タイミングよりも前後に数秒広い期間の間にスマートソケットＳＳ１〜ＳＳ４が計測した消費電力の計測結果を基に、スマートソケットＳＳ１〜ＳＳ４のそれぞれについて実測消費電力パターンを導出することとする。
【００６５】
なお、ＥＭＳの構成は、スマートソケットＳＳ１〜ＳＳ４が分電盤内に設けられる構成としてもよい。図１Ｂは、本実施の形態に係るＥＭＳの概略構成を示す第二のブロック図である。図１Ｂにおいて、スマートソケットＳＳ１〜ＳＳ４は、分電盤１３の内部に配置されており、系統電源１４と機器（又はコンセント）とを接続する電力線を流れる電力を計測し、計測された電力を消費電力として電力情報収集部２１へ送信する。
【００６６】
なお、図１Ｂにおいて、スマートソケットＳＳ１〜ＳＳ４は、電力線を流れる電力を電力線ごとに計測して、電力線ごとの計測値を電力情報収集部２１へ送信する機能を実現するものに置き換えることも可能である。つまり、ＥＭＳの構成は、マートソケットＳＳ１〜ＳＳ４の代わりに、１つの筐体で複数の電力線を流れる電力を計測する電力モニター装置を用いる構成であってもよい。
【００６７】
なお、図１Ｂにおいて、１つの機器（又はコンセント）が接続される電力線に１つのスマートソケットが用いられることにしたが、複数の機器（又はコンセント）が接続される電力線に１つのスマートソケットを用いてもよい。この場合、スマートソケットで計測できる電力は、複数の機器の合計の消費電力となる。この場合、消費電力パターン照合部２４は、複数の機器の合計の消費電力から、複数の機器に含まれる機器を特定する。具体的には、例えば、特定しようとする機器以外の機器の消費電力の変動が比較的小さい期間に、特定しようとする機器の消費電力パターンを取得することで実現される。このようにする場合には、機器監視装置２は、必要に応じて、機器の動作状況を判断する。
【００６８】
次に、実施の形態１に係るＥＭＳ１における機器の登録処理の流れについて説明する。図３は、本実施の形態に係るＥＭＳ１における機器の登録処理の流れを示すシーケンス図である。図４は、本実施の形態に係るＥＭＳにおける消費電力パターン照合部２４のパターンマッチングを具体的に説明するための図である。なお、図３の説明では、機器ＤがＥＭＳ１に未登録であるとし、機器ＤをＥＭＳ１に登録する処理の流れを説明するが、他の機器の登録においても同様の処理が行われる。
【００６９】
図３に示されるように、まず、登録端末１０は、利用者から機器Ｄの登録要求を受けると（ステップＳ１）、機器Ｄの登録要求を機器監視装置２の登録操作情報保持部２２に送信する（ステップＳ２）。機器Ｄの登録要求には、利用者により入力された機器Ｄの機器情報が含まれる。
【００７０】
次に、登録操作情報保持部２２は、受信した機器情報に機器Ｄの機種が機種Ｄであることが示されているため、保持している操作対応テーブルから機種Ｄの操作対応テーブルを抽出する。続いて、登録操作情報保持部２２は、抽出した操作対応テーブルの中から任意の登録操作の内容を選択して、選択した登録操作の内容に対応付けられた想定消費電力パターンと、機器Ｄの登録操作の内容として選択した登録操作の内容を登録操作案内生成部２３に送信する（ステップＳ３）。続いて、登録操作情報保持部２２は、操作対応テーブルで選択した登録操作の内容に対応付けられた想定消費電力パターンを消費電力パターン照合部２４に送信する（ステップＳ４）。続いて、登録操作情報保持部２２は、受信した機器Ｄの機器情報を機器情報登録部２５に送信する（ステップＳ５）。
【００７１】
なお、登録操作情報保持部２２による操作対応テーブル抽出後のステップＳ３〜Ｓ５の各動作は、同時に行われてもよいし、前述したものとは異なる順序で行われてもよい。
【００７２】
次に、登録操作案内生成部２３は、登録操作情報保持部２２から送信された機器Ｄの登録操作の内容について、それを実行する実行タイミングを設定する。続いて、登録操作案内生成部２３は、設定した実行タイミングと、登録操作情報保持部２２から送信された機器Ｄの登録操作の内容とを含む機器Ｄの登録操作案内を生成する（ステップＳ６）。
【００７３】
次に、登録操作案内生成部２３は、生成した機器Ｄの登録操作案内を登録端末１０に送信する（ステップＳ７）。続いて、登録操作案内生成部２３は、設定した実行タイミングと機器Ｄの登録操作の内容に対応付けられた想定消費電力パターンの時間長とに基づく電力パターン指定タイミングを電力情報収集部２１に送信する（ステップＳ８）。
【００７４】
なお、登録操作案内生成部２３による登録操作案内生成後のステップＳ７〜Ｓ８の各動作は、同時に行われてもよいし、前述したものとは異なる順序で行われてもよい。
【００７５】
次に、登録端末１０は、登録操作案内生成部２３から送信された機器Ｄの登録操作案内の内容をテキストや画像、更には音声等により利用者に提示する（ステップＳ９）。例えば、選択された登録操作が「電源立ち上げ」で、設定された実行タイミングが１分後の時刻であった場合、登録端末１０は、「１分後に機器Ｄの電源立ち上げを行ってください」との登録操作案内を利用者に提示する。提示を受けた利用者は、登録操作案内で示された実行タイミングに、登録操作案内で示された内容の登録操作を機器Ｄに対して行う（ステップＳ１０）。
【００７６】
このとき、電力情報収集部２１は、スマートソケットＳＳ１〜ＳＳ４のそれぞれから消費電力の計測結果を収集しており（ステップＳ１１）、電力パターン指定タイミングに基づく期間の間にスマートソケットＳＳ１〜ＳＳ４のそれぞれが計測した消費電力の計測結果を基に、スマートソケットＳＳ１〜ＳＳ４のそれぞれについて実測消費電力パターンを導出し、導出した実測消費電力パターンを消費電力パターン照合部２４に送信する（ステップＳ１２）。
【００７７】
次に、消費電力パターン照合部２４は、電力情報収集部２１から送信された実測消費電力パターンと、登録操作情報保持部２２から送信された想定消費電力パターンとのマッチングを行い、想定消費電力パターンとマッチする実測消費電力パターンを特定する（ステップＳ１３）。これにより、消費電力パターン照合部２４は、想定消費電力パターンとマッチする実測消費電力パターンを送信したスマートソケットＳＳ４を特定することができる。
【００７８】
例えば、図４の（ａ）〜（ｄ）に示される実測消費電力パターンが導出され、図４の（ｅ）に示される想定消費電力パターンが送信されている場合を考える。この場合、消費電力パターン照合部２４は、図４の（ａ）〜（ｄ）の各パターンと図４の（ｅ）のパターンとのマッチングを行った結果、図４の（ｄ）のパターンを特定する。このパターンマッチングでは、例えば図４の（ｅ）のパターンを基準として図４の（ａ）〜（ｄ）の各パターンの複数の座標が１０％等の所定の誤差範囲内に存在するかにより行われる。
【００７９】
次に、消費電力パターン照合部２４は、特定したスマートソケットＳＳ４の識別情報を機器情報登録部２５に送信する（ステップＳ１４）。
【００８０】
次に、機器情報登録部２５は、消費電力パターン照合部２４から送信されたスマートソケットＳＳ４の識別情報と、登録操作情報保持部２２から送信された機器Ｄの機器情報とを対応付けて機器対応テーブルに登録する（ステップＳ１５）。
【００８１】
次に、機器情報登録部２５は、機器Ｄの機器情報とスマートソケットＳＳ４の識別情報とが対応付けてＥＭＳ１に登録されたことを示す機器登録結果を登録端末１０に送信する（ステップＳ１６）。登録端末１０は、機器情報登録部２５から送信された機器Ｄの機器登録結果の内容をテキストや画像、更には音声等により利用者に提示する（ステップＳ１７）。
【００８２】
以上のように、本実施の形態のＥＭＳ１の機器監視装置２は、登録された機器の消費電力を監視する装置であって、スマートソケットＳＳ１〜ＳＳ４からスマートソケットＳＳ１〜ＳＳ４と接続された機器Ａ〜Ｄに関して計測された実測消費電力パターンを収集する電力情報収集部２１を備える。そして、機器監視装置２は、さらに、機器Ｄの登録に際して機器Ｄに対して行う登録操作の内容と、登録操作によって生じる機器Ｄの想定消費電力パターンとを対応付けて保持する登録操作情報保持部２２を備える。また、機器監視装置２は、さらに、機器Ｄの登録を要求する登録要求を受けると、登録操作情報保持部２２が保持する登録操作の内容のうちの登録要求のあった機器Ｄに対して行う登録操作の内容と、登録要求のあった機器Ｄの登録操作の内容の実行タイミングとが対応付けられた登録操作案内を生成し、更に、実行タイミングが示す時期（時刻）から想定消費電力パターンの時間長に相当する期間が示す電力パターン指定タイミングを電力情報収集部２１に送信する登録操作案内生成部２３を備える。また、機器監視装置２は、さらに、電力パターン指定タイミング（登録操作案内生成部２３で生成された登録操作案内が示す実行タイミングと登録操作案内生成部２３で生成された登録操作案内が示す登録操作によって生じる機器の消費電力パターンの時間長とに基づく期間）に基づく期間にスマートソケットＳＳ１〜ＳＳ４が計測した実測消費電力パターンと、登録操作案内生成部２３で生成された登録操作案内が示す登録操作の内容と対応付けられた想定消費電力パターンとを照合して、登録要求のあった機器Ｄが接続されたスマートソケットＳＳ４を特定する消費電力パターン照合部２４を備える。また、機器監視装置２は、さらに、消費電力パターン照合部２４が特定したスマートソケットＳＳ４と、登録要求のあった機器Ｄとを対応付けて登録する機器情報登録部２５を備える。これにより、利用者は煩雑な登録操作を行う必要がなく、機器監視装置２が登録要求のあった機器Ｄと接続されたスマートソケットＳＳ４を自動的に特定し、登録要求のあった機器Ｄと対応付けて登録する。これにより、機器ＤとスマートソケットＳＳ４とを正確に対応付けて登録することができるので、機器監視装置２により機器Ａ〜Ｄの消費電力を正確に監視することができる。
【００８３】
また、本実施の形態において、登録操作情報保持部２２は、複数の異なる登録操作の内容を保持している。従って、登録操作案内生成部２３は、消費電力パターン照合部２４での想定消費電力パターンとのマッチングにおいてスマートソケットＳＳ４に特定できなかった場合（スマートソケット（ＳＳ４）の特定に失敗した場合）、スマートソケットＳＳ４の特定に失敗したマッチングに用いられた想定消費電力パターンと対応付けられた登録操作の内容とは異なる登録操作の内容を含む新たな登録操作案内を生成してもよい。そして、消費電力パターン照合部２４は、登録操作案内生成部２３が新たに消費電力パターン照合部２４に送信した電力パターン指定タイミング（登録操作案内生成部２３で生成された新たな登録操作案内が示す実行タイミングと登録操作案内生成部２３で生成された新たな登録操作案内が示す登録操作によって生じる機器の消費電力パターンの時間長とに基づく期間）に基づく期間にスマートソケットＳＳ１〜ＳＳ４が計測した実測消費電力パターンと、登録操作案内生成部２３で生成された新たな登録操作案内が示す登録操作の内容と対応付けられた想定消費電力パターンとを照合して、登録要求のあった機器Ｄが接続されたスマートソケットＳＳ４を特定してもよい。これにより、機器Ｄが接続されたスマートソケットがスマートソケットＳＳ４に特定することが出来ず機器Ｄの登録に失敗した場合、失敗した登録操作案内とは異なる登録操作案内で再度の登録操作を行わせることができる。
【００８４】
また、本実施の形態において、消費電力パターン照合部２４の想定消費電力パターンとのマッチングにおいて、幾つかのスマートソケットに絞り込むことは出来たが、１つのスマートソケット（ＳＳ４）には特定できなかった場合（スマートソケット（ＳＳ４）の特定に失敗した場合）、再度、機器Ｄの登録操作が行われた際に、消費電力パターン照合部２４は、前回のマッチングにおいて絞り込まれたスマートソケット（失敗したマッチングにおいて絞り込まれたスマートソケット）について、再度、計測した消費電力の測定結果に基づく実測消費電力パターンと、登録操作案内生成部２３で生成された登録操作案内が示す登録操作の内容と対応付けられた想定消費電力パターンとをマッチングして、登録要求のあった機器Ｄが接続されたスマートソケットＳＳ４を特定してもよい。これにより、特定するスマートソケットの範囲を狭くして、精度よくスマートソケットＳＳ４の特定を行うことができる。
【００８５】
（実施の形態１の変形例１）
次に、実施の形態１の変形例１に係るＥＭＳ１の構成について、図５を用いて説明する。図５は、本変形例に係るＥＭＳ１の概略構成を示すブロック図である。
【００８６】
実施の形態１のＥＭＳ１の機器監視装置２において、消費電力パターン照合部２４は、登録操作情報保持部２２により送信された想定消費電力パターンをそのまま用いてパターンマッチングを行うとした。しかし、例えばスマートソケットに内蔵されている電流センサは機種毎に特性が異なるため、スマートソケットで計測される消費電力（実測消費電力パターン）はスマートソケットの機種によっても異なる場合がある。電流センサの特性としては、例えば、測定点における理想値と実測値との差の比率を示す結合係数（Ｋ値：理想はＫ＝１）特性等がある。従って、本変形例の機器監視装置２は、図５に示されるように、実施の形態１の機器監視装置２に対し、登録操作情報保持部２２と消費電力パターン照合部２４との間に消費電力パターン補正部２８ａを設け、想定消費電力パターンを補正するものである。以下、実施の形態１のＥＭＳ１と異なる点を中心に詳述する。
【００８７】
機器監視装置２は、電力情報収集部２１と、登録操作情報保持部２２と、登録操作案内生成部２３と、消費電力パターン照合部２４と、機器情報登録部２５と、消費電力パターン補正部２８ａとを備える。
【００８８】
登録操作情報保持部２２は、機器をＥＭＳ１に登録する際に、抽出した操作対応テーブルから任意の登録操作の内容を選択する。そして、登録操作情報保持部２２は、選択した登録操作の内容と登録操作の内容に対応付けられた想定消費電力パターンとを登録操作案内生成部２３に送信すると共に、操作対応テーブルにおいて選択した登録操作の内容に対応付けられた想定消費電力パターンを消費電力パターン補正部２８ａに送信する。
【００８９】
消費電力パターン補正部２８ａは、機器をＥＭＳ１に登録する際に、登録操作情報保持部２２から送信された想定消費電力パターンをスマートソケットの機種に応じて補正し、補正後の想定消費電力パターンを消費電力パターン照合部２４に送信する。したがって、スマートソケットＳＳ１〜ＳＳ４の機種がそれぞれ異なる場合には、想定消費電力パターンをスマートソケットの機種に応じて補正し、補正後の複数の想定消費電力パターンを消費電力パターン照合部２４に送信する。想定消費電力パターンの補正は、例えば想定消費電力パターンが得られたスマートソケットの電流センサの結合係数等のスマートソケットの機種に基づく補正値により、登録操作情報保持部２２から送信された想定消費電力パターンを補正することにより行われる。例えば、電流センサの結合係数を補正値として用いる場合には、想定消費電力パターンに結合係数を乗算する。
【００９０】
また、この場合、補正値は、スマートソケットの機種毎に消費電力パターン補正部２８ａに保持するようにしても良いが、想定消費電力パターン毎、スマートソケットの機種毎の補正値を操作対応テーブルの想定消費電力パターンに対応付けて登録操作情報保持部２２に保持するようにしても良い。その場合、消費電力パターン補正部２８ａには想定消費電力パターンと共にこれと対応付けられたスマートソケットの機種毎の補正値が送信される。
【００９１】
消費電力パターン照合部２４は、機器をＥＭＳ１に登録する際に、電力情報収集部２１から送信された実測消費電力パターンと、消費電力パターン補正部２８ａから送信された補正後の想定消費電力パターンとのマッチングを行う。この時、実測消費電力パターンとのマッチングに用いられる補正後の想定消費電力パターンには、実測消費電力パターンを計測したスマートソケットの機種に応じて補正された想定消費電力パターンがそれぞれ用いられる。そして、消費電力パターン照合部２４は、パターンマッチングの結果、補正後の想定消費電力パターンとマッチする実測消費電力パターンを送信したスマートソケットを特定することで登録要求のあった機器と接続されたスマートソケットを特定する。
【００９２】
以上のように、本変形例のＥＭＳ１によれば、実施の形態１のＥＭＳ１と同様の理由により、機器監視装置２により機器Ａ〜Ｄの消費電力を正確に監視することができる。
【００９３】
また、本変形例のＥＭＳ１によれば、機器監視装置２は、さらに、登録操作情報保持部２２が保持する想定消費電力パターンを補正する消費電力パターン補正部２８ａを備える。そして、消費電力パターン照合部２４は、パターンマッチングにおいて、消費電力パターン補正部２８ａにより補正された想定消費電力パターンと、電力情報収集部２１が収集する実測消費電力パターンとをマッチングする。これにより、例えばスマートソケットの機種によるばらつきを考慮した想定消費電力パターンの補正が行われるので、パターンマッチングにおいて登録要求のあった機器Ｄと接続されたスマートソケットＳＳ４を正確に特定することができる。
【００９４】
なお、本変形例のＥＭＳ１では、消費電力パターン補正部２８ａを設けることにより、想定消費電力パターンについてのスマートソケットに起因するばらつきを抑え、パターンマッチングの精度を向上させるとした。しかし、ＥＭＳ１の構成は図１Ａに示す構成のままで、操作対応テーブルにおいて、１つの登録操作の内容に対してスマートソケットの機種に対応した複数の想定消費電力パターンを対応付けることで、パターンマッチングの精度を向上させてもよい。この場合、登録操作情報保持部２２は、保持する想定消費電力パターンをスマートソケットの機種に対応付ける。そして、消費電力パターン照合部２４は、パターンマッチングにおいて、電力情報収集部２１が収集する実測消費電力パターンと、当該電力情報収集部２１が収集した実測消費電力パターンが得られたスマートソケットの機種に対応付けられ、かつ、登録操作案内生成部２３で生成された登録操作案内が示す登録操作の内容と対応付けられた想定消費電力パターンとをマッチングする。このとき、スマートソケットの機種とは、例えばスマートソケットのメーカ名、スマートソケットの型番等のスマートソケットの種類を特定する情報である。
【００９５】
この構成では、図３のステップＳ４で、登録操作情報保持部２２は、操作対応テーブルで選択した登録操作の内容に対応付けられた複数の想定消費電力パターンを消費電力パターン照合部２４に送信する。そして、図３のステップＳ１３で、消費電力パターン照合部２４は、登録操作情報保持部２２から送信された複数の想定消費電力パターンから実測消費電力パターンを送信したスマートソケットの機種と対応付けられた想定消費電力パターンを抽出した上でパターンマッチングを行う。従って、消費電力パターン照合部２４は、例えば、スマートソケットＳＳ４からの実測消費電力パターンとのマッチングでは、操作対応テーブルでスマートソケットＳＳ４と対応付けられた想定消費電力パターンを用いる。そして、消費電力パターン照合部２４は、例えば、スマートソケットＳＳ３からの実測消費電力パターンのマッチングでは、操作対応テーブルでスマートソケットＳＳ３と対応付けられた想定消費電力パターンを用いる。
【００９６】
（実施の形態１の変形例２）
次に、実施の形態１の変形例２に係るＥＭＳ１の構成について、図６を用いて説明する。図６は、本変形例に係るＥＭＳ１の概略構成を示すブロック図である。
【００９７】
実施の形態１のＥＭＳ１の機器監視装置２において、消費電力パターン照合部２４は、電力情報収集部２１により送信された実測消費電力パターンをそのまま用いてパターンマッチングを行うとした。しかし、例えばスマートソケットに内蔵されている電流センサは機種毎に特性が異なるため、スマートソケットで計測される消費電力（実測消費電力パターン）はスマートソケットの機種によっても異なる場合がある。従って、本変形例の機器監視装置２は、図６に示されるように、実施の形態１の機器監視装置２に対し、電力情報収集部２１と消費電力パターン照合部２４との間に消費電力パターン補正部２８ｂを設け、実測消費電力パターンを補正するものである。以下、実施の形態１のＥＭＳ１と異なる点を中心に詳述する。
【００９８】
機器監視装置２は、電力情報収集部２１と、登録操作情報保持部２２と、登録操作案内生成部２３と、消費電力パターン照合部２４と、機器情報登録部２５と、消費電力パターン補正部２８ｂとを備える。
【００９９】
電力情報収集部２１は、機器をＥＭＳ１に登録する際に、スマートソケットＳＳ１〜ＳＳ４のそれぞれについて導出した実測消費電力パターンを消費電力パターン補正部２８ｂに送信する。
【０１００】
消費電力パターン補正部２８ｂは、機器をＥＭＳ１に登録する際に、電力情報収集部２１から送信された実測消費電力パターンを補正し、補正後の実測消費電力パターンを消費電力パターン照合部２４に送信する。実測消費電力パターンの補正は、例えば実測消費電力パターンが得られたスマートソケットの電流センサの結合係数等のスマートソケットの機種に基づく補正値により、収集した実測消費電力パターンを補正することにより行われる。例えば、電流センサの結合係数を補正値として用いる場合には、実測消費電力パターンに結合係数を除算する。
【０１０１】
また、この場合、消費電力パターン補正部２８ｂは、スマートソケットの機種に対応付けて補正値を保持している。
【０１０２】
消費電力パターン照合部２４は、機器をＥＭＳ１に登録する際に、消費電力パターン補正部２８ｂから送信された補正後の実測消費電力パターンと、登録操作情報保持部２２から送信された想定消費電力パターンとのマッチングを行う。そして、消費電力パターン照合部２４は、パターンマッチングの結果、想定消費電力パターンとマッチする補正後の実測消費電力パターンを特定し、その補正前のものを送信したスマートソケットを特定することで登録要求のあった機器と接続されたスマートソケットを特定する。
【０１０３】
以上のように、本変形例のＥＭＳ１によれば、実施の形態１のＥＭＳ１と同様の理由により、機器監視装置２により機器Ａ〜Ｄの消費電力を正確に監視することができる。
【０１０４】
また、本変形例のＥＭＳ１によれば、機器監視装置２は、さらに、電力情報収集部２１が収集した実測消費電力パターンを補正する消費電力パターン補正部２８ｂを備える。そして、消費電力パターン照合部２４は、パターンマッチングにおいて、消費電力パターン補正部２８ｂにより補正された実測消費電力パターンと、登録操作案内生成部２３で生成された登録操作案内が示す登録操作の内容と対応付けられた想定消費電力パターンとをマッチングする。これにより、例えばスマートソケットの機種によるばらつきを考慮した実測消費電力パターンの補正が行われるので、パターンマッチングにおいて登録要求のあった機器Ｄと接続されたスマートソケットＳＳ４を正確に特定することができる。
【０１０５】
（実施の形態１の変形例３）
次に、実施の形態１の変形例３に係るＥＭＳ１の構成について、図７を用いて説明する。図７は、本変形例に係るＥＭＳ１における機器の登録操作案内の生成処理（ステップＳ６）の流れを示すフローチャートである。
【０１０６】
実施の形態１のＥＭＳ１の機器監視装置２において、機器Ｄの登録要求がある場合に他の機器の登録要求はないことを前提としたが、他の機器の登録要求がある場合にも実施の形態１の構成は適用可能である。しかし、既に登録要求されている他の機器の機種が機器Ｄと同じ機種Ｄであり、機器Ｄの登録操作案内においてその他の機器と同じ内容の登録操作案内が生成される事態が考えられる。この場合、機器Ｄとその他の機器とからは同時期に同様の実測消費電力パターンが得られるため、機器Ｄをその他の機器と区別して登録することができない。従って、本変形例の機器監視装置２は、図７に示されるように、実施の形態１の機器監視装置２に対し、登録操作案内生成部２３が、既に登録要求されている他の機器と機器Ｄとが同じ機種であるか否かを考慮して機器Ｄの登録操作案内を生成するものである。以下、実施の形態１のＥＭＳ１と異なる点を中心に詳述する。
【０１０７】
機器Ｄの登録操作案内の生成において、登録操作案内生成部２３は、機器Ｄの登録操作案内の実行タイミングを設定する前に、まず機器Ｄと同じ機種の機器Ｄ以外の他の機器の登録処理が行われているか否かを判定する（ステップＳ３１）。
【０１０８】
次に、機器Ｄと同じ機種の他の機器の登録処理が行われていないと判定された場合（ステップＳ３１でＮｏ）、登録操作案内生成部２３は、その他の機器の登録操作案内を考慮することなく機器Ｄの登録操作案内の実行タイミングを任意に設定する。この場合、登録操作案内生成部２３は、機器Ｄと同じ機種の機器Ｄ以外の他の機器の登録操作案内の実行タイミングと同じ実行タイミングに、機器Ｄの登録操作案内の実行タイミングを設定することもできる。続いて、登録操作案内生成部２３は、設定した実行タイミングと、登録操作情報保持部２２から送信された機器Ｄの登録操作の内容とを含む機器Ｄの登録操作案内を生成する（ステップＳ３２）。
【０１０９】
一方、機器Ｄと同じ機種の他の機器の登録処理が行われていると判定された場合（ステップＳ３１でＹｅｓ）、登録操作案内生成部２３は、機器Ｄの登録操作案内の実行タイミングとして、その他の機器の登録操作案内の実行タイミングと異なる実行タイミングを設定する。具体的には、機器Ｄの登録処理における電力パターン指定タイミングと、その他の機器の登録処理における電力パターン指定タイミングとが重ならないように十分に間隔を空けて、その他の機器の登録操作案内の実行タイミングと異なる実行タイミングを設定する。
【０１１０】
続いて、登録操作案内生成部２３は、設定した実行タイミングと、登録操作情報保持部２２から送信された機器Ｄの登録操作の内容とを含む機器Ｄの登録操作案内を生成する（ステップＳ３３）。
【０１１１】
以上のように、本変形例のＥＭＳ１によれば、実施の形態１のＥＭＳ１と同様の理由により、機器監視装置２により機器Ａ〜Ｄの消費電力を正確に監視することができる。
【０１１２】
また、本変形例のＥＭＳ１によれば、登録操作案内生成部２３は、同じ種類の複数の機器の登録要求を受けた場合、複数の機器に対応して生成される複数の登録操作案内のそれぞれが異なる実行タイミングを含むように複数の登録操作案内を生成する。これにより、同時に同じ種類の複数の機器の登録を行う場合でも、登録操作の内容は異なる実行タイミングで実行されるので、複数の機器を区別して登録することができる。
【０１１３】
（実施の形態１の変形例４）
次に、実施の形態１の変形例４に係るＥＭＳ１の構成について、図８を用いて説明する。図８は、本変形例に係るＥＭＳ１における機器の登録操作の内容と登録操作の内容に対応付けられた想定消費電力パターンとの送信処理（ステップＳ３）の流れを示すフローチャートである。
【０１１４】
実施の形態１の変形例３のＥＭＳ１の機器監視装置２において、既に登録要求されている他の機器と機器Ｄとが同じ機種である場合、その他の機器の登録操作案内の実行タイミングと異なる実行タイミングの登録操作案内を機器Ｄの登録操作案内として生成するとした。しかし、両者の登録操作の内容を調節することでも上述した登録操作案内の実行タイミングを調整する場合と同様の効果が得られる。従って、本変形例の機器監視装置２は、図８に示されるように、実施の形態１の機器監視装置２に対し、登録操作情報保持部２２が、既に登録要求されている他の機器と機器Ｄとで異なる登録操作の内容を選択して送信するものである。但し、この場合、登録操作情報保持部２２には、同じ機種であっても登録操作の内容によって消費電力の時間変動が異なり、消費電力パターンが区別可能なものとなる登録操作の内容が登録されているものとする。以下、実施の形態１のＥＭＳ１と異なる点を中心に詳述する。
【０１１５】
機器Ｄの登録操作の内容の送信において、登録操作情報保持部２２は、機器Ｄの登録操作の内容を設定する前に、まず機器Ｄと同じ機種の機器Ｄ以外の他の機器の登録処理が行われているか否かを判定する（ステップＳ４１）。
【０１１６】
次に、機器Ｄと同じ機種の他の機器の登録処理が行われていないと判定された場合（ステップＳ４１でＮｏ）、登録操作情報保持部２２は、その他の機器の登録操作の内容を考慮することなく機器Ｄの登録操作の内容を任意に選択する。この場合、登録操作情報保持部２２は、他の機器の登録操作の内容と同じ登録操作の内容を、機器Ｄの登録操作の内容として選択することもできる。続いて、登録操作情報保持部２２は、選択した機器Ｄの登録操作の内容と登録操作の内容に対応付けられた想定消費電力パターンとを登録操作案内生成部２３に送信する（ステップＳ４２）。
【０１１７】
一方、機器Ｄと同じ機種の他の機器の登録処理が行われていると判定された場合（ステップＳ４１でＹｅｓ）、登録操作情報保持部２２は、その他の機器の登録操作の内容と異なる登録操作の内容を選択する。続いて、登録操作情報保持部２２は、選択した機器Ｄの登録操作の内容と登録操作の内容に対応付けられた想定消費電力パターンとを登録操作案内生成部２３に送信する（ステップＳ４３）。
【０１１８】
以上のように、本変形例のＥＭＳ１によれば、実施の形態１のＥＭＳ１と同様の理由により、機器監視装置２により機器Ａ〜Ｄの消費電力を正確に監視することができる。
【０１１９】
また、本変形例のＥＭＳ１によれば、登録操作情報保持部２２は、複数の異なる登録操作の内容を保持する。そして、登録操作案内生成部２３は、同じ種類の複数の機器の登録要求を受けた場合、複数の機器に対応して生成される複数の登録操作案内のそれぞれが異なる登録操作の内容を含むように複数の登録操作案内を生成する。これにより、同時に同じ種類の複数の機器の登録を行う場合でも、登録操作の内容は異なるので、複数の機器を区別して登録することができる。
【０１２０】
（実施の形態２）
次に、実施の形態２に係るＥＭＳ３の構成について、図９を用いて説明する。図９は、本実施の形態に係るＥＭＳ３の概略構成を示すブロック図である。
【０１２１】
ＥＭＳ３は、図９に示されるように、機器をＥＭＳ３に登録する際に、さらに、機器のＬＡＮ（Ｌｏｃａｌ  Ａｒｅａ  Ｎｅｔｗｏｒｋ）１１上での通信パターンに基づいて登録する機器のＬＡＮ１１上のアドレス（ＩＰアドレス）を特定する点で実施の形態１のＥＭＳ１と異なっている。従って、機器監視装置４は、実施の形態１の機器監視装置２に対し、機器のＩＰアドレスを特定する構成としてネットワーク情報収集部２６及び通信パターン照合部２７が追加されている。以下、実施の形態１のＥＭＳ１と異なる点を中心に詳述する。
【０１２２】
ＥＭＳ３は、登録端末１０と、複数のスマートソケットＳＳ１〜ＳＳ４と、機器監視装置４と、ＬＡＮ１１とから構成され、機器Ａ〜Ｄの消費電力を監視している。ＥＭＳ３は、例えば家電機器としての複数の機器Ａ〜Ｄを管理するＨＥＭＳ等である。ＥＭＳ３は、機器Ａ〜Ｄの消費電力の監視結果を基に、ＬＡＮ１１を介して機器Ａ〜Ｄとデータ通信をして機器Ａ〜Ｄの消費電力を削減するための諸動作を行う。
【０１２３】
ＬＡＮ１１は、無線又は有線のローカルエリアの通信ネットワークの一例であり、機器Ａ〜Ｄと機器監視装置４とをデータ通信可能な状態で接続している。
【０１２４】
機器監視装置４は、スマートソケットＳＳ１〜ＳＳ４による消費電力の測定結果をもとに機器Ａ〜Ｄの消費電力を監視し、ＬＡＮ１１を介して機器Ａ〜Ｄとデータ通信をして、監視結果に基づいて機器Ａ〜Ｄの消費電力を削減するための諸動作を行うコントローラである。機器監視装置４は、電力情報収集部２１と、登録操作情報保持部２２と、登録操作案内生成部２３と、消費電力パターン照合部２４と、機器情報登録部２５と、ネットワーク情報収集部２６と、通信パターン照合部２７とを備える。
【０１２５】
登録操作情報保持部２２は、機種Ａ〜Ｄのそれぞれについて設けられた操作対応テーブルを保持し、機器をＥＭＳ３に登録する際に、登録端末１０から機器の登録要求を受けると、登録要求のあった機器の機種の操作対応テーブルを抽出する。操作対応テーブルでは、図１０Ａに示されるように、機器への登録操作の内容が複数登録されており、登録された各登録操作の内容にはその登録操作による機器の想定消費電力パターンと、その登録操作によるＬＡＮ１１上での通信メッセージのシーケンス（想定通信パターン）とが対応付けられている。例えば、機種Ａについて設けられた操作対応テーブルには、機種Ａの機器の登録操作の内容として「電源立ち上げ」が、機種Ａの機器の電源立ち上げ時の所定の想定消費電力パターン及び電源立ち上げ時の想定通信パターンと対応付けて登録されている。なお、操作対応テーブルの登録操作の内容としては、登録操作が行われた機器で生じる通信メッセージの内容や通信メッセージの順序が、それ以外の他の機器の通信メッセージの内容や通信メッセージの順序と区別可能なものとなる登録操作の内容が登録されることが好ましい。
【０１２６】
登録操作情報保持部２２は、機器をＥＭＳ３に登録する際に、抽出した操作対応テーブルから任意の登録操作の内容を選択する。そして、登録操作情報保持部２２は、選択した登録操作の内容と選択した登録操作の内容に対応付けられた想定消費電力パターン及び想定通信パターンとを登録操作案内生成部２３に送信すると共に、操作対応テーブルにおいて選択した登録操作の内容に対応付けられた想定消費電力パターンを消費電力パターン照合部２４に送信する。また、登録操作情報保持部２２は、操作対応テーブルにおいて選択した登録操作の内容に対応付けられた想定通信パターンを通信パターン照合部２７に送信する。
【０１２７】
登録操作案内生成部２３は、実行タイミングを含む登録操作案内を生成して、登録端末１０へ送信し、さらに、実行タイミングが示す時期（時刻）から想定消費電力パターンの時間長に相当する期間までを示す電力パターン指定タイミングを電力情報収集部２１に送信すると共に、実行タイミングが示す時期（時刻）から想定通信パターンの時間長に相当する期間までを示す通信パターン指定タイミングをネットワーク情報収集部２６に送信する。
【０１２８】
ネットワーク情報収集部２６は、ＬＡＮ１１上での機器Ａ〜Ｄの通信メッセージを取得する取得部であり、常時、ＬＡＮ１１上の通信メッセージを収集する。
【０１２９】
ネットワーク情報収集部２６は、機器をＥＭＳ３に登録する際に、登録操作案内生成部２３により受信した通信パターン指定タイミングに基づく期間の間に収集したＬＡＮ１１上の通信メッセージ（実測通信パターン）を導出し、通信パターン照合部２７に送信する。この送信では、通信メッセージのそれぞれが機器Ａ〜Ｄのいずれのものであるかを識別可能とするため、通信メッセージとそれを送信した機器のＩＰアドレス（ＭＡＣアドレス）とが対応付けて送信される。
【０１３０】
通信パターン照合部２７は、機器をＥＭＳ３に登録する際に、ネットワーク情報収集部２６から送信された実測通信パターンと、登録操作情報保持部２２から送信された想定通信パターンとのマッチングを行う。マッチングでは、具体的には、想定通信パターンに含まれる通信メッセージを実測通信パターンの中の通信メッセージから検索し、想定通信パターンが示す通信メッセージのシーケンスにしたがって通信をしている機器を特定する。そして、通信パターン照合部２７は、パターンマッチングの結果、想定通信パターンとマッチする実測通信パターンで通信を行った機器を特定することで登録要求のあった機器のＩＰアドレスを特定する。そして、消費電力パターン照合部２４は、特定したＩＰアドレスを機器情報登録部２５に送信する。
【０１３１】
機器情報登録部２５は、機器情報とスマートソケットの識別情報とＩＰアドレスとの対応関係が複数登録された機器対応テーブルを保持している。機器情報登録部２５は、機器をＥＭＳ３に登録する際に、この保持する機器対応テーブルに、消費電力パターン照合部２４から送信されたスマートソケットの識別情報と、登録操作情報保持部２２から送信された機器情報と、通信パターン照合部２７から送信されたＩＰアドレスとを対応付けて登録する。例えば、機器対応テーブルでは、図１０Ｂに示されるように、機器Ａの機器情報にスマートソケットＳＳ１の識別情報及びＩＰアドレスＡ１が対応付けて登録されている。
【０１３２】
次に、実施の形態２に係るＥＭＳ３における機器の登録処理の流れについて説明する。図１１は、本実施の形態に係るＥＭＳ３における機器の登録処理の流れを示すシーケンス図である。なお、図１１の説明では、機器ＤがＥＭＳ３に未登録であるとし、機器ＤをＥＭＳ３に登録する処理の流れを説明するが、他の機器の登録においても同様の処理が行われる。なお、図１１において、他の実施の形態と異なる処理を破線の枠で示す。
【０１３３】
図１１に示されるように、まず、登録端末１０は、利用者からの機器Ｄの登録要求を受けると（ステップＳ１）、機器Ｄの登録要求を機器監視装置４の登録操作情報保持部２２に送信する（ステップＳ２）。
【０１３４】
次に、登録操作情報保持部２２は、受信した登録要求に含まれる機器情報に機器Ｄの機種が機種Ｄであることが示されているため、保持している操作対応テーブルから機種Ｄの操作対応テーブルを抽出する。続いて、登録操作情報保持部２２は、抽出した操作対応テーブルの中から任意の登録操作の内容を選択して、選択した登録操作の内容に対応付けられた想定消費電力パターン及び想定通信パターンと、機器Ｄの登録操作の内容として選択した登録操作の内容を登録操作案内生成部２３に送信する（ステップＳ１９）。続いて、登録操作情報保持部２２は、操作対応テーブルで選択した登録操作の内容に対応付けられた想定消費電力パターンを消費電力パターン照合部２４に送信する（ステップＳ４）。続いて、登録操作情報保持部２２は、操作対応テーブルで選択した登録操作の内容に対応付けられた想定通信パターンを通信パターン照合部２７に送信する（ステップＳ２０）。続いて、登録操作情報保持部２２は、受信した機器Ｄの機器情報を機器情報登録部２５に送信する（ステップＳ５）。
【０１３５】
なお、登録操作情報保持部２２による操作対応テーブル抽出後のステップＳ３〜Ｓ５及びＳ２０の各動作は、同時に行われてもよいし、前述したものとは異なる順序で行われてもよい。
【０１３６】
次に、登録操作案内生成部２３は、登録操作情報保持部２２から送信された機器Ｄの登録操作の内容について、それを実行する実行タイミングを設定する。続いて、登録操作案内生成部２３は、設定した実行タイミングと、登録操作情報保持部２２から送信された機器Ｄの登録操作の内容とを含む機器Ｄの登録操作案内を生成する（ステップＳ６）。
【０１３７】
次に、登録操作案内生成部２３は、生成した機器Ｄの登録操作案内を登録端末１０に送信する（ステップＳ７）。続いて、登録操作案内生成部２３は、設定した実行タイミングと機器Ｄの登録操作の内容に対応付けられた想定消費電力パターンの時間長とに基づく電力パターン指定タイミングを電力情報収集部２１に送信すると共に（ステップＳ８）、設定した実行タイミングと機器Ｄの登録操作の内容に対応付けられた想定通信パターンの時間長とに基づく通信パターン指定タイミングをネットワーク情報収集部２６に送信する（ステップＳ２１）。
【０１３８】
なお、登録操作案内生成部２３による登録操作案内生成後のステップＳ７〜Ｓ８及びＳ２１の各動作は、同時に行われてもよいし、前述したものとは異なる順序で行われてもよい。
【０１３９】
次に、登録端末１０は、登録操作案内生成部２３から送信された機器Ｄの登録操作案内の内容をテキスト及び画像、更には音声等により利用者に提示する（ステップＳ９）。提示を受けた利用者は、登録操作案内で示された実行タイミングに、登録操作案内に示された内容の登録操作を機器Ｄに対して行う（ステップＳ１０）。
【０１４０】
このとき、電力情報収集部２１は、スマートソケットＳＳ１〜ＳＳ４のそれぞれから消費電力の計測結果を収集しており（ステップＳ１１）、電力パターン指定タイミングに基づく期間の間にスマートソケットＳＳ１〜ＳＳ４のそれぞれが計測した消費電力の計測結果を基に、スマートソケットＳＳ１〜ＳＳ４のそれぞれについて実測消費電力パターンを導出し、導出した実測消費電力パターンを消費電力パターン照合部２４に送信する（ステップＳ１２）。
【０１４１】
同時に、ネットワーク情報収集部２６は、ＬＡＮ１１上の通信メッセージを収集しており（ステップＳ２２）、通信パターン指定タイミングに基づく期間の間に収集した通信メッセージを基に実測通信パターンを導出し、導出した全ての実測通信パターンを通信パターン照合部２７に送信する（ステップＳ２３）。
【０１４２】
次に、消費電力パターン照合部２４は、電力情報収集部２１から送信された実測消費電力パターンと、登録操作情報保持部２２から送信された想定消費電力パターンとのマッチングを行い、想定消費電力パターンとマッチする実測消費電力パターンを特定する（ステップＳ１３）。これにより、消費電力パターン照合部２４は、想定消費電力パターンとマッチする実測消費電力パターンを送信したスマートソケットＳＳ４を特定することができる。
【０１４３】
また、通信パターン照合部２７は、ネットワーク情報収集部２６から送信された実測通信パターンと、登録操作情報保持部２２から送信された想定通信パターンとのマッチングを行い、想定通信パターンとマッチする実測通信パターンを特定する（ステップＳ２４）。これにより、通信パターン照合部２７は、想定通信パターンとマッチする実測通信パターンで通信を行った機器ＤのＩＰアドレスを特定することができる。
【０１４４】
例えば、機器ＤがＵＰｎＰ（Ｕｎｉｖｅｒｓａｌ  Ｐｌｕｇ  ａｎｄ  Ｐｌａｙ）をサポートしており、登録操作の内容が電源の立ち上げである場合を考える。この場合、機器Ｄは、電源の立ち上げによりＳＳＤＰ（Ｓｉｍｐｌｅ  Ｓｅｒｖｉｃｅ  Ｄｉｓｃｏｖｅｒｙ  Ｐｒｏｔｏｃｏｌ）に基づくサービスディスカバリーのシーケンスを実行する。従って、通信パターン照合部２７は、機器からマルチキャストアドレスに検索要求（Ｍ−ＳＥＡＲＣＨ）メッセージをブロードキャスト送信、検索要求を受信したＬＡＮ１１に接続するその他に機器（例えば、図には示されていないルータ等）からの検索応答メッセージ、検索応答メッセージを受信した機器からその他の機器へデバイス情報（ＤＤＤ）取得要求メッセージを送信、及びデバイス情報（ＤＤＤ）取得要求メッセージを受信したその他の機器からのデバイス情報（ＤＤＤ）メッセージのシーケンスで通信を行っている機器を機器Ｄであると特定し、検索要求（Ｍ−ＳＥＡＲＣＨ）等のメッセージを送信した機器ＤのＩＰアドレスを特定する。
【０１４５】
また、機器ＤがＤＨＣＰ（Ｄｙｎａｍｉｃ  Ｈｏｓｔ  Ｃｏｎｆｉｇｕｒａｔｉｏｎ  Ｐｒｏｔｏｃｏｌ）をサポートしており、登録操作の内容が電源の立ち上げである場合を考える。この場合、機器Ｄは、電源の立ち上げによりＤＨＣＰサーバ（例えば、図には示されていないルータがＤＨＣＰサーバの機能を備えている）との間でＤＨＣＰに基づくシーケンスを実行しＩＰアドレスを取得する動作を行う。従って、通信パターン照合部２７は、機器からＤＨＣＰサーバへのＤＩＳＣＯＶＥＲパケットの送信、ＤＩＳＣＯＶＥＲパケットを受けたＤＨＣＰサーバからのＯＦＦＥＲパケットの応答、ＯＦＦＥＲパケットの応答を受けた機器からＤＨＣＰサーバへのＲＥＱＵＥＳＴパケットの送信、及びＲＥＱＵＥＳＴパケットを受信したＤＨＣＰサーバからのＰＡＣＫ応答のシーケンスで通信を行っている機器を機器Ｄであると特定し、ＤＨＣＰにより機器Ｄが取得したＩＰアドレスを特定する。
【０１４６】
次に、消費電力パターン照合部２４は特定したスマートソケットＳＳ４の識別情報を機器情報登録部２５に送信し（ステップＳ１４）、通信パターン照合部２７は特定した機器ＤのＩＰアドレスを機器情報登録部２５に送信する（ステップＳ２５）。
【０１４７】
次に、機器情報登録部２５は、消費電力パターン照合部２４から送信されたスマートソケットＳＳ４の識別情報と、登録操作情報保持部２２から送信された機器Ｄの機器情報と、通信パターン照合部２７から送信された機器ＤのＩＰアドレスとを対応付けて機器対応テーブルに登録する（ステップＳ１５）。
【０１４８】
次に、機器情報登録部２５は、機器Ｄの機器情報とスマートソケットＳＳ４の識別情報と機器ＤのＩＰアドレスとが対応付けてＥＭＳ３に登録されたことを示す機器登録結果を登録端末１０に送信する（ステップＳ１６）。登録端末１０は、機器情報登録部２５から送信された機器Ｄの機器登録結果の内容をテキスト及び画像、更には音声等により利用者に提示する（ステップＳ１７）。
【０１４９】
以上のように、本実施の形態のＥＭＳ３によれば、実施の形態１のＥＭＳ１と同様の理由により、機器監視装置４により機器Ａ〜Ｄの消費電力を正確に監視し、ＬＡＮ１１を介して機器Ａ〜Ｄを適切に制御することができる。
【０１５０】
また、本実施の形態のＥＭＳ３の機器監視装置４において、登録操作情報保持部２２は、登録操作の内容と、登録操作によって機器Ｄと機器監視装置４とを接続するＬＡＮ１１上で生じる想定通信パターンとを対応付けて保持する。そして、機器監視装置４は、さらに、ＬＡＮ１１上での実測通信パターンを収集するネットワーク情報収集部２６を備える。また、機器監視装置４は、さらに、登録操作案内生成部２３がネットワーク情報収集部２６に送信する通信パターン指定タイミング（登録操作案内生成部２３で生成された登録操作案内が示す実行タイミングと登録操作案内生成部２３で生成された登録操作案内が示す登録操作によって生じる機器の想定通信パターンの時間長とに基づく期間）に基づく期間にネットワーク情報収集部２６が収集する実測通信パターンと、登録操作案内生成部２３で生成された登録操作案内が示す登録操作の内容と対応付けられた想定通信パターンとを照合して、登録要求のあった機器ＤのＬＡＮ１１上のＩＰアドレスを特定する通信パターン照合部２７を備える。そして、機器情報登録部２５は、通信パターン照合部２７が特定したＬＡＮ１１上のＩＰアドレスと、登録要求のあった機器Ｄとを対応付けて登録する。これにより、機器監視装置４が登録要求のあった機器ＤのＩＰアドレスを自動的に特定し、登録要求のあった機器Ｄと対応付けて登録する。よって、機器ＤのＩＰアドレスを正確で容易に登録でき、ＥＭＳ３において機器Ａ〜Ｄと機器監視装置４との通信を正確に行うことができる。
【０１５１】
なお、登録操作情報保持部２２は、さらに、登録操作によって生じる機器の動作と、登録操作によって生じる機器の通信パターンと、登録操作によって生じる機器の消費電力パターンとを対応付けて保持してもよい。
【０１５２】
例えば、この場合、通信パターン照合部２７は、ネットワーク情報収集部２６が収集した通信パターンと登録操作情報保持部２２が保持する通信パターンとを照合することで機器の機種と動作を特定し、さらに、消費電力パターン照合部２４は、電力情報収集部２１が収集した機器の動作に対応する実測消費電力パターンと、登録操作情報保持部２２が保持し、かつ、通信パターン照合部２７が特定した機器の動作に対応する想定消費電力パターンとを照合することで、スマートソケット（または電力線）に接続された機器の機種を特定するとしてもよい。
【０１５３】
（実施の形態２の変形例１）
次に、実施の形態２の変形例１に係るＥＭＳ３の構成について、図１２を用いて説明する。図１２は、本変形例に係るＥＭＳ３における機器の登録処理の流れを示すシーケンス図である。なお、図１２の説明では、機器ＤがＥＭＳ３に未登録であるとし、機器ＤをＥＭＳ３に登録する処理の流れを説明するが、他の機器の登録においても同様の処理が行われる。なお、図１２において、他の実施の形態と異なる処理を破線の枠で示す。
【０１５４】
実施の形態２のＥＭＳ３の機器監視装置４において、利用者は自発的に登録端末１０を介して機器監視装置４に未登録の機器Ｄの登録要求を出すとした。しかし、機器監視装置４が未登録の機器Ｄを発見して機器Ｄの登録を利用者に促すことで、機器Ｄが未登録のままの状態で放置される事態を避けることができる。従って、本変形例の機器監視装置４は、図１２に示されるように、実施の形態２の機器監視装置４に対し、電力情報収集部２１が、消費電力の計測結果の収集により未登録のスマートソケットＳＳ４に機器が接続されていることを発見しそれと接続された機器Ｄの登録を利用者に促すものである。以下、実施の形態２のＥＭＳ３と異なる点を中心に詳述する。
【０１５５】
まず、電力情報収集部２１は、スマートソケットＳＳ４から消費電力の計測結果を収集する（ステップＳ３０）。続いて、電力情報収集部２１は、収集を行ったスマートソケットＳＳ４に関して機器情報登録部２５の機器対応テーブルに機器が登録されているか否かを判定する（ステップＳ３１）。これにより、電力情報収集部２１は、未登録のスマートソケットＳＳ４から消費電力の検出結果が送信されたかを判定することができる。
【０１５６】
次に、電力情報収集部２１は、スマートソケットＳＳ４に関して機器対応テーブルに機器が未登録であると判定すると、スマートソケットＳＳ４と接続された機器Ｄの登録を促すメッセージを登録端末１０に送信する（ステップＳ３２）。メッセージを受けた登録端末１０は、メッセージの内容をテキスト及び画像、更には音声等により利用者に提示する（ステップＳ３３）。
【０１５７】
次に、図１１と同様のステップＳ１〜Ｓ２５の処理が行われる。ただし、登録要求を受けている機器Ｄが接続されているスマートソケットはスマートソケットＳＳ４であることが特定されている。従って、ステップＳ１２で、電力情報収集部２１は、スマートソケットＳＳ４のみについて実測消費電力パターンを導出する。
【０１５８】
以上のように、本変形例のＥＭＳ３によれば、実施の形態１のＥＭＳ１と同様の理由により、機器監視装置４により機器Ａ〜Ｄの消費電力を正確に監視することができる。
【０１５９】
また、本変形例のＥＭＳ３によれば、電力情報収集部２１は、機器が未登録のスマートソケットＳＳ４から消費電力パターンを収集した場合、未登録のスマートソケットＳＳ４に接続された機器Ｄの登録を促すメッセージを出力する。これにより、機器監視装置４が自動的に未登録の機器Ｄを発見して利用者にその登録を促すので、機器Ｄが未登録のままの状態で放置される事態を防止することができる。
【０１６０】
（実施の形態２の変形例２）
次に、実施の形態２の変形例２に係るＥＭＳ３の構成について、図１３を用いて説明する。図１３は、本変形例に係るＥＭＳ３における機器の登録処理の流れを示すシーケンス図である。なお、図１３において、他の実施の形態と異なる処理を破線の枠で示す。
【０１６１】
実施の形態２のＥＭＳ３の機器監視装置４において、機器の設置場所を変更したり、機器を買い換えたりするなどして、機器とスマートソケットとの対応関係が変化する場合がある。この場合、利用者が対応関係の変化を認識して対応関係の更新を行わないと、機器の消費電力が誤って監視され続ける。例えば、異なる２つのスマートソケットにそれぞれ接続された異なる２つの機器が入れ替えられたり、既に機器が登録されているスマートソケットに別の新たな機器が接続されたりする事態が考えられる。従って、本変形例の機器監視装置４は、図１３に示されるように、実施の形態２の機器監視装置４に対し、電力情報収集部２１が機器とスマートソケットとの対応関係の変化を検出し、対応関係が変化した機器の再登録を利用者に促すものである。以下、実施の形態２のＥＭＳ３と異なる点を中心に詳述する。
【０１６２】
なお、図１３の説明では、スマートソケットＳＳ４には機器Ｄとは別の機器が接続されているとＥＭＳ３に登録されており、新たにスマートソケットＳＳ４に接続された機器ＤはＥＭＳ３に未登録であるとし、改めてＥＭＳ３に機器Ｄを登録する処理の流れを説明するが、他の機器の登録においても同様の処理が行われる。
【０１６３】
まず、電力情報収集部２１は、スマートソケットＳＳ４から消費電力の計測結果を収集し（ステップＳ４０）、収集した消費電力の計測結果を基に、スマートソケットＳＳ４について実測消費電力パターンを導出し、定期的に、スマートソケットＳＳ４について機器対応テーブルで対応付けられている機器の所定の消費電力パターンとのマッチングを行う。
【０１６４】
実際には、スマートソケットＳＳ４に関してだけでなく、機器対応テーブルに機器が登録されているスマートソケットＳＳ１〜ＳＳ４に関して、定期的に、それぞれの実測消費電力パターンを導出し、それぞれ機器対応テーブルで対応付けられている機器の所定の消費電力パターンとのマッチングを行う。
【０１６５】
例えば、消費電力が０Ｗから急激に立ち上がる電源立ち上げ時の消費電力パターンに関して、導出した実測消費電力パターンと所定の電源立ち上げ時の消費電力パターンとがマッチするか否かを判定する。これにより、電力情報収集部２１は、機器対応テーブルの対応関係が維持されているかを判定する。この時、図１３の場合には、スマートソケットＳＳ４に関して登録されている機器と異なる消費電力パターンを検出する（ステップＳ４１）。またこの場合、電力情報収集部２１は、実測消費電力パターンとマッチングを行う所定の消費電力パターンとして、登録操作情報保持部２２に保持されている操作対応テーブルに登録されている想定消費電力パターンを参照する。
【０１６６】
次に、電力情報収集部２１は、新たにスマートソケットＳＳ４と接続された機器Ｄの登録を促すメッセージを登録端末１０に送信する（ステップＳ４２）。メッセージを受けた登録端末１０は、メッセージの内容をテキスト及び画像、更には音声等により利用者に提示する（ステップＳ４３）。
【０１６７】
次に、図１１と同様のステップＳ１〜Ｓ２５の処理が行われる。ただし、登録要求を受けている機器Ｄが接続されているスマートソケットはスマートソケットＳＳ４であることが特定されている。従って、ステップＳ１２で、電力情報収集部２１は、スマートソケットＳＳ４のみについて実測消費電力パターンを導出する。
【０１６８】
以上のように、本変形例のＥＭＳ３によれば、実施の形態１のＥＭＳ１と同様の理由により、機器監視装置４により機器Ａ〜Ｄの消費電力を正確に監視することができる。
【０１６９】
また、本変形例のＥＭＳ３によれば、電力情報収集部２１は、機器が登録されたスマートソケットＳＳ４から収集した実測消費電力パターンが当該スマートソケットＳＳ４に対応付けて登録された機器とは異なる機器の消費電力パターンである場合、スマートソケットＳＳ４と新たに接続された機器Ｄの登録を促すメッセージを出力する。これにより、機器とスマートソケットとの対応関係が変化した場合、利用者に対応関係が変化した機器の登録操作を求めることができるので、この場合でも機器監視装置４により機器の消費電力を正確に監視することができる。
【０１７０】
（実施の形態２の変形例３）
次に、実施の形態２の変形例３に係るＥＭＳ３の構成について、図１４を用いて説明する。図１４は、本変形例に係るＥＭＳ３の概略構成を示すブロック図である。
【０１７１】
実施の形態２のＥＭＳ３において、機器Ｄの登録の際に利用者が機器Ｄの機器情報を登録端末１０に入力するとした。しかし、登録端末１０が撮像部等を備え、画像解析により機器Ｄの機種を特定し、機器Ｄの機器情報を登録端末１０に入力した場合、機器情報を正確で簡易に入力することができる。従って、本変形例の登録端末１０は、図１４に示されるように、実施の形態２の登録端末１０に対し、機器情報を取得する撮像部等を有する機器情報取得部１２を備えるものである。以下、実施の形態２のＥＭＳ３と異なる点を中心に詳述する。
【０１７２】
登録端末１０は、カメラ等の撮像部と、画像解析により機器の機種を特定する機種特定部を有する機器情報取得部１２を備える。機種特定部は、機器を撮像した画像を画像解析して機器の機種を特定するためのリファレンス情報を機器種毎に保持している。機器情報取得部１２は、機器Ｄを撮像し、撮像した画像を画像解析することで撮像対象の機器の機種を特定して、機器情報を取得する。例えばこの時、機器Ｄの型番が印字された機器Ｄの銘板部分を撮像することで、より正確に機器情報を取得することが出来る。これにより、登録端末１０に対して、撮像対象の機器の機種等を正確で簡易に入力することができる。
【０１７３】
次に、実施の形態２の変形例３に係るＥＭＳ３における機器の登録処理の流れについて説明する。図１５は、本変形例に係るＥＭＳ３における機器の登録処理の流れを示すシーケンス図である。なお、図１５の説明では、機器ＤがＥＭＳ３に未登録であるとし、機器ＤをＥＭＳ３に登録する処理の流れを説明するが、他の機器の登録においても同様の処理が行われる。なお、図１５において、他の実施の形態と異なる処理を破線の枠で示す。
【０１７４】
まず、利用者は登録端末１０に対して機器Ｄの撮像を指示する撮像操作を行い（ステップＳ５０）、機器情報取得部１２により機器Ｄを撮像する（ステップＳ５１）。続いて、機器情報取得部１２は、撮像した画像を画像解析して機器情報を取得する（ステップＳ５２）。
【０１７５】
次に、登録端末１０は、機器情報取得部１２が取得した機器Ｄの機器情報を含む登録要求を、機器監視装置４の登録操作情報保持部２２に送信する（ステップＳ２）。
【０１７６】
次に、図１１と同様のステップＳ３〜Ｓ２５の処理が行われる。
【０１７７】
以上のように、本変形例のＥＭＳ３によれば、実施の形態１のＥＭＳ１と同様の理由により、機器監視装置４により機器Ａ〜Ｄの消費電力を正確に監視することができる。
【０１７８】
また、本変形例のＥＭＳ３によれば、登録端末１０が、撮像部と画像解析により機器の機種を特定する機種特定部を有し、機器情報を取得する機器情報取得部１２を備え、登録操作情報保持部２２は、機器情報取得部１２による機器Ｄの撮像によって得られた機器情報を基に機器Ｄの機種を特定する。これにより、機器情報を正確で簡易に機器監視装置４に入力することができる。
【０１７９】
なお、本変形例のＥＭＳ３では、登録する機器Ｄ自体を撮像するとしたが、機器Ｄの保証書や機器Ｄの購入時に添付される書類を撮像し、画像解析によってそれらに印字されている機器Ｄの型番を特定するようにしても良い。
【０１８０】
また、本変形例のＥＭＳ３では、登録端末１０で機器の機種の特定までを行うとしたが、登録端末１０では画像取得までが行われ、画像解析による機器情報の取得は機器監視装置４で行われてもよい。この場合、機器監視装置４において機種特定部に相当する処理部を備えることになる。
【０１８１】
また、機器ＤがＮＦＣ（Ｎｅａｒ  Ｆｉｅｌｄ  Ｃｏｍｍｕｎｉｃａｔｉｏｎ）等の非接触ＩＣ通信機能を備えている場合、本変形例のＥＭＳ３で、登録端末１０の機器情報取得部１２は、非接触ＩＣ通信部を有し、機器Ｄと非接触ＩＣ通信を行って、機器Ｄから機器情報を取得するようにしても良い。この場合、機器Ｄの非接触ＩＣ通信部分に登録端末１０の非接触ＩＣ通信部をタッチする操作を行うだけで、登録端末１０の機器情報取得部１２は機器Ｄの機器情報を取得し、これにより、機器情報を正確で簡易に機器監視装置４に入力することができる。
【０１８２】
また、本変形例のＥＭＳ３で、機器情報取得部１２は、バーコードリーダを有し、機器Ｄに貼られた機器Ｄの機種を示すバーコードや、機器Ｄの保証書等に印字された機器Ｄの機種を示すバーコードを読み取ることで撮像対象の機器の機器情報を取得してもよい。この場合、機器情報の取得は機器情報取得部１２で行われてもよいし、機器情報取得部１２で取得したコード情報を機器監視装置４に送信して機器監視装置４で行われてもよい。
【０１８３】
以上、本発明の機器監視装置について、実施の形態に基づいて説明したが、本発明は、これらの実施の形態に限定されるものではない。本発明の要旨を逸脱しない範囲内で当業者が思いつく各種変形を施したものも本発明の範囲内に含まれる。また、発明の趣旨を逸脱しない範囲で、複数の実施の形態及びその変形例における各構成要素を任意に組み合わせてもよい。
【０１８４】
例えば、上記実施の形態において、各構成要素は、専用のハードウェアで構成されてもよいし、各構成要素に適したソフトウェアプログラムを実行することによって実現されてもよい。各構成要素は、ＣＰＵ又はプロセッサ等のプログラム実行部が、ハードディスク又は半導体メモリなどの記録媒体に記録されたソフトウェアプログラムを読み出して実行することによって実現されてもよい。ここで、上記各実施の形態の機器監視装置などを実現するソフトウェアは、次のようなプログラムである。
【０１８５】
すなわち、このプログラムは、コンピュータに、電力配線に接続された機器の消費電力を監視する機器監視装置における機器監視方法であって、前記電力配線に接続された機器の消費電力パターンを収集する電力情報収集ステップと、前記機器監視装置の監視対象として前記機器の登録を行う際に前記機器に対して行う登録操作の内容と、前記登録操作によって生じる前記機器の消費電力パターンとを対応付けて保持する登録操作情報保持ステップと、前記登録操作情報保持ステップで保持した登録操作の内容のうちの、監視対象として前記登録が行なわれる前記機器である対象機器に対して行う登録操作の内容と、当該登録操作の実行時期とを指示する登録操作案内を生成して通知する登録操作案内生成ステップと、前記登録操作案内が示す実行時期に基づいて定められる所定の期間に前記電力情報収集部が収集した前記対象機器の消費電力パターンと、前記登録操作案内が示す登録操作の内容に対応付けられた消費電力パターンとを照合して、前記対象機器が接続された電力配線を特定する消費電力パターン照合ステップと、前記消費電力パターン照合ステップで特定した電力配線と、前記対象機器とを対応付けて登録する機器情報登録ステップとを含む機器監視方法を実行させる。
【０１８６】
また、上記実施の形態において、登録要求及びを登録端末から機器監視装置に送信するとしたが、登録端末を介さずに機器監視装置に直接登録要求が入力されてもよい。同様に、登録操作案内、登録を促すメッセージ及び機器登録結果を機器監視装置から登録端末に送信し、その内容を登録端末で利用者に提示するとしたが、その内容を機器監視装置で利用者に提示してもよい。すなわち、登録端末を介して利用者と機器監視装置との間で行われる諸動作は、利用者と機器監視装置との間で直接行われてもよい。
【０１８７】
また、上記実施の形態において、操作対応テーブルは機種毎に設けられるとしたが、機種と登録操作の内容と想定消費電力パターンとの３つをまとめて対応付けた１つの操作対応テーブルが登録操作情報保持部２２に保持されてもよい。
【０１８８】
また、上記実施の形態において、操作対応テーブルには、複数の登録操作の内容が登録されるとしたが、１つの登録操作の内容のみが登録されていてもよい。
【０１８９】
また、上記実施の形態において、登録操作情報保持部は、機器監視装置外のサーバ等の記憶装置と接続され、記憶装置が保持する情報を基に、保持する操作対応テーブルを自動的に更新してもよい。これにより、新たな機種の操作対応テーブルの追加、既に保持している操作対応テーブルの内容の更新等を行うことができる。
【０１９０】
また、上記実施の形態において、ネットワーク情報収集部は、常時、通信メッセージの収集を行い、収集したものから通信パターン指定タイミングに基づく期間のものを切り出し、切り出したものから実測通信パターンを導出するとした。しかし、ネットワーク情報収集部は、通信パターン指定タイミングに基づく期間だけ通信メッセージの収集を行い、収集した通信メッセージを基に実測通信パターンを導出するようにしても良い。
【０１９１】
また、上記実施の形態において、機器の消費電力を計測し、計測結果を機器監視装置に送信する等の機能を持つ装置の名称が「スマートソケット」であるとしたが、このような装置の名称が「スマートコンセント」、「スマートプラグ」、又は「スマートタップ」等とされる場合もある。
【産業上の利用可能性】
【０１９２】
本発明は、ＥＭＳの機器監視装置に利用でき、特にＥＭＳの機器監視装置に機器を登録する装置等に利用することができる。
【符号の説明】
【０１９３】
１、１Ａ、３    ＥＭＳ
２、４    機器監視装置
１０    登録端末
１１    ＬＡＮ
１２    機器情報取得部
１３    分電盤
１４    系統電源
２１    電力情報収集部
２２    登録操作情報保持部
２３    登録操作案内生成部
２４    消費電力パターン照合部
２５    機器情報登録部
２６    ネットワーク情報収集部
２７    通信パターン照合部
２８ａ、２８ｂ    消費電力パターン補正部
【図１Ａ】
2013179671.tif 000003
【図１Ｂ】
2013179671.tif 000004
【図２Ａ】
2013179671.tif 000005
【図２Ｂ】
2013179671.tif 000006
【図３】
2013179671.tif 000007
【図４】
2013179671.tif 000008
【図５】
2013179671.tif 000009
【図６】
2013179671.tif 000010
【図７】
2013179671.tif 000011
【図８】
2013179671.tif 000012
【図９】
2013179671.tif 000013
【図１０Ａ】
2013179671.tif 000014
【図１０Ｂ】
2013179671.tif 000015
【図１１】
2013179671.tif 000016
【図１２】
2013179671.tif 000017
【図１３】
2013179671.tif 000018
【図１４】
2013179671.tif 000019
【図１５】
2013179671.tif 000020
【国際調査報告】
2013179671.tif 000021
2013179671.tif 000022